(57)【特許請求の範囲】
【請求項１】
基地局装置とユーザ装置とが、プライマリコンポーネントキャリアと複数の非プライマリコンポーネントキャリアとを用いて通信する通信システムであって、
前記基地局装置は、
上位層のシグナリングを用いて、４つの物理上りリンク制御チャネルリソースの夫々に対する４つのインデックスを前記ユーザ装置へ送信し、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信し、
前記ユーザ装置は、
前記インデックスインジケータに従って、前記４つのインデックスの中から前記１つのインデックスを決定し、
前記１つのインデックスが対応する物理上りリンク制御チャネルリソースを用いて、ＨＡＲＱ−ＡＣＫ／ＮＡＣＫを前記基地局装置へ送信し、
前記下りリンク制御情報フォーマットは、前記非プライマリコンポーネントキャリアにおける物理下りリンク共有チャネルをスケジューリングするために使用される
ことを特徴とする通信システム。
【請求項２】
前記下りリンク制御情報フォーマットは、物理下りリンク制御チャネルにおいて送信される
ことを特徴とする請求項１に記載の通信システム。
【請求項３】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１または２に記載の通信システム。
【請求項４】
基地局装置とユーザ装置とが、プライマリコンポーネントキャリアと複数の非プライマリコンポーネントキャリアとを用いて通信する通信システムにおける基地局装置であって、
前記基地局装置は、
上位層のシグナリングを用いて、４つの物理上りリンク制御チャネルリソースの夫々に対する４つのインデックスを前記ユーザ装置へ送信する手段と、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信する手段と、
前記１つのインデックスが対応する物理上りリンク制御チャネルリソースを用いて、ＨＡＲＱ−ＡＣＫ／ＮＡＣＫを前記ユーザ装置から受信する手段と、を備え、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする基地局装置。
【請求項５】
前記下りリンク制御情報フォーマットは、物理下りリンク制御チャネルにおいて送信される
ことを特徴とする請求項４に記載の基地局装置。
【請求項６】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項４または５に記載の基地局装置。
【請求項７】
基地局装置とユーザ装置とが、プライマリコンポーネントキャリアと複数の非プライマリコンポーネントキャリアとを用いて通信する通信システムにおけるユーザ装置であって、
前記ユーザ装置は、
前記基地局装置から受信した上位層のシグナリングに基づいて、４つの物理上りリンク制御リソースの夫々に対する４つのインデックスを設定される手段と、
インデックスインジケータに従って、前記４つのインデックスの中から１つのインデックスを決定する手段と、
前記１つのインデックスが対応する物理上りリンク制御チャネルリソースを用いて、ＨＡＲＱ−ＡＣＫ／ＮＡＣＫを前記基地局装置へ送信する手段と、を備え、
同一の物理上りリンク制御チャネルリソースに対する前記１つのインデックスを示す前記インデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とするユーザ装置。
【請求項８】
前記下りリンク制御情報フォーマットは、物理下りリンク制御チャネルにおいて送信される
ことを特徴とする請求項７に記載のユーザ装置。
【請求項９】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項７または８に記載のユーザ装置。
【請求項１０】
基地局装置とユーザ装置とが、プライマリコンポーネントキャリアと複数の非プライマリコンポーネントキャリアとを用いて通信する通信システムにおける基地局装置の方法であって、
上位層のシグナリングを用いて、４つの物理上りリンク制御チャネルリソースの夫々に対する４つのインデックスを前記ユーザ装置へ送信し、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信し、
前記１つのインデックスが対応する物理上りリンク制御チャネルリソースを用いて、ＨＡＲＱ−ＡＣＫ／ＮＡＣＫを前記ユーザ装置から受信し、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする方法。
【請求項１１】
前記下りリンク制御情報フォーマットは、物理下りリンク制御チャネルにおいて送信される
ことを特徴とする請求項１０に記載の方法。
【請求項１２】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１０または１１に記載の方法。
【請求項１３】
基地局装置とユーザ装置とが、プライマリコンポーネントキャリアと複数の非プライマリコンポーネントキャリアとを用いて通信する通信システムにおけるユーザ装置の方法であって、
前記基地局装置から受信した上位層のシグナリングに基づいて、４つの物理上りリンク制御リソースの夫々に対する４つのインデックスを設定し、
インデックスインジケータに従って、前記４つのインデックスの中から１つのインデックスを決定し、
前記１つのインデックスが対応する物理上りリンク制御チャネルリソースを用いて、ＨＡＲＱ−ＡＣＫ／ＮＡＣＫを前記基地局装置へ送信し、
同一の物理上りリンク制御チャネルリソースのインデックスを示す前記１つのインデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とする方法。
【請求項１４】
前記下りリンク制御情報フォーマットは、物理下りリンク制御チャネルにおいて送信される
ことを特徴とする請求項１３に記載の方法。
【請求項１５】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１３または１４に記載の方法。
【請求項１６】
基地局装置とユーザ装置とが、プライマリコンポーネントキャリアと複数の非プライマリコンポーネントキャリアとを用いて通信する通信システムにおける基地局装置に搭載される集積回路であって、
上位層のシグナリングを用いて、４つの物理上りリンク制御チャネルリソースの夫々に対する４つのインデックスを前記ユーザ装置へ送信するためのロジック素子と、
前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータの夫々を前記ユーザ装置へ送信するためのロジック素子と、
前記１つのインデックスが対応する物理上りリンク制御チャネルリソースを用いて、ＨＡＲＱ−ＡＣＫ／ＮＡＣＫを前記ユーザ装置から受信するためのロジック素子と、を備え、
前記１つのインデックスは、前記インデックスインジケータに従って、前記４つのインデックスの中から前記ユーザ装置によって決定され、
前記下りリンク制御情報フォーマットは、前記非プライマリコンポーネントキャリアにおける物理下りリンク共有チャネルをスケジューリングするために使用される
ことを特徴とする集積回路。
【請求項１７】
前記下りリンク制御情報フォーマットは、物理下りリンク制御チャネルにおいて送信される
ことを特徴とする請求項１６に記載の集積回路。
【請求項１８】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１６または１７に記載の集積回路。
【請求項１９】
基地局装置とユーザ装置とが、プライマリコンポーネントキャリアと複数の非プライマリコンポーネントキャリアとを用いて通信する通信システムにおけるユーザ装置に搭載される集積回路であって、
前記基地局装置から受信した上位層のシグナリングに基づいて、４つの物理上りリンク制御リソースの夫々に対する４つのインデックスを設定するためのロジック素子と、
インデックスインジケータに従って、前記４つのインデックスの中から１つのインデックスを決定するためのロジック素子と、
前記１つのインデックスが対応する物理上りリンク制御チャネルリソースを用いて、ＨＡＲＱ−ＡＣＫ／ＮＡＣＫを前記基地局装置へ送信するためのロジック素子と、を備え、
前記１つのインデックスを示す前記インデックスインジケータの夫々は、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、
前記下りリンク制御情報フォーマットは、前記非プライマリコンポーネントキャリアにおける物理下りリンク共有チャネルをスケジューリングするために使用される
ことを特徴とする集積回路。
【請求項２０】
前記下りリンク制御情報フォーマットは、物理下りリンク制御チャネルにおいて送信される
ことを特徴とする請求項１９に記載の集積回路。
【請求項２１】
前記ＨＡＲＱ−ＡＣＫ／ＮＡＣＫは、前記物理下りリンク共有チャネルにおいて送信される下りリンクトランスポートブロックに対する応答を含む
ことを特徴とする請求項１９または２０に記載の集積回路。
【発明の詳細な説明】
【技術分野】
【０００１】
本発明は、通信技術に関し、特に、ＰＵＣＣＨ（ｐｈｙｓｉｃａｌ  ｕｐｌｉｎｋ  ｃｏｎｔｒｏｌ  ｃｈａｎｎｅｌ；  物理上りリンク制御チャネル）のリソースを割り当てるための通信方法、通信システム、基地局、ユーザ装置、および、集積回路に関する。
【背景技術】
【０００２】
３ＧＰＰ（３ｒｄ  Ｇｅｎｅｒａｔｉｏｎ  Ｐａｒｔｎｅｒ  Ｐｒｏｊｅｃｔ；  第３世代パートナーシッププロジェクト）標準化機構が、ＬＴＥ（Ｌｏｎｇ  Ｔｅｒｍ  Ｅｖｏｌｕｔｉｏｎ）と名づけられた次世代の無線通信標準規格を策定中である。物理層のインターフェースにおいて、新しい規格は、従来のＣＤＭＡ（Ｃｏｄｅ  Ｄｉｖｉｓｉｏｎ  Ｍｕｌｔｉｐｌｅ  Ａｃｃｅｓｓ；  符号分割多元接続）技術とは異なるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；  直交周波数分割多重）技術を採用する。
【０００３】
ＬＴＥでは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；  直交周波数分割多元接続）が、下りリンク（“ＤＬ”；  Ｄｏｗｎｌｉｎｋ）に使用され、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ；  単一キャリア周波数分割多元接続）が、上りリンク（“ＵＬ”；  Ｕｐｌｉｎｋ）に使用される。上記の新しい規格において使用される技術は、周波数ドメインの均等化を採用することによって、従来の時間ドメインの均等化の複雑さを抑制するので多経路を含む伝播に効果的であり、より広帯域な高速データ送信により適している。
【０００４】
現在のＬＴＥの標準化によれば（下記の非特許文献１を参照）、ＰＵＣＣＨリソースの割り当てには２つの場合がある。対応するＰＤＣＣＨ（Ｐｈｙｓｉｃａｌ  Ｄｏｗｎｌｉｎｋ  Ｃｏｎｔｒｏｌ  Ｃｈａｎｎｅｌ；  物理下りリンク制御チャネル）がサブフレームｎ−４において検出されることによって指示されるＰＤＳＣＨ（Ｐｈｙｓｉｃａｌ  Ｄｏｗｎｌｉｎｋ  Ｓｈａｒｅｄ  Ｃｈａｎｎｅｌ；  物理下りリンク共有チャネル）送信の場合、または、サブフレームｎ−４において下りリンクのＳＰＳ（セミパーシステントスケジューリング）の解放を指示するＰＤＣＣＨの場合、ＵＥ（Ｕｓｅｒ  Ｅｑｕｉｐｍｅｎｔ；  ユーザ装置）は、サブフレームｎにおいてＨＡＲＱ（Ｈｙｂｒｉｄ  Ａｕｔｏｍａｔｉｃ  Ｒｅｐｅａｔ  ｒｅＱｕｅｓｔ；  ハイブリッド自動リピートリクエスト）−ＡＣＫ（ＡＣＫｎｏｗｌｅｄｇｅ；  確認応答）／ＮＡＣＫ（Ｎｅｇａｔｉｖｅ  ＡＣＫｎｏｗｌｅｄｇｅ；  否定確認応答）を送信するために、ＰＵＣＣＨリソース  n(1)PUCCH = nCCE + N(1)PUCCH  を使用する。
【０００５】
ただし、nCCE  は、対応するＤＣＩ（Ｄｏｗｎｌｉｎｋ  Ｃｏｎｔｒｏｌ  Ｉｎｆｏｒｍａｔｉｏｎ；  下りリンク制御情報）の割り当ての送信に使用される第１のＣＣＥ（Ｃｏｎｔｒｏｌ  Ｃｈａｎｎｅｌ  Ｅｌｅｍｅｎｔ；  制御チャネル要素）の番号である。さらに、N(1)PUCCH  は、上位層のシグナリング（ｈｉｇｈｅｒ  ｌａｙｅｒ  ｓｉｇｎａｌｉｎｇ）によって、セル固有（セルスペシフィック）に構成されるパラメータである。サブフレームｎ−４において検出される対応するＰＤＣＣＨが存在しないＰＤＳＣＨ送信の場合には、ＰＵＣＣＨリソース、つまり、n(1)PUCCH  の値は、上位層のシグナリングによって送信される４つのＰＵＣＣＨリソース候補と、ＤＣＩフォーマットにおいて送信される、セミパーシステント下りリンクスケジューリングの起動を示すＰＵＣＣＨリソースインデックスとにあわせて決定される。
【０００６】
３ＧＰＰ標準化機構は、ＬＴＥの大幅なアップグレードになるであろうと考えられるＬＴＥ−Ａｄｖａｎｃｅｄ（Ａｄｖａｎｃｅｄ−ＬＴＥ）の策定も進めている。このＬＴＥ−Ａｄｖａｎｃｅｄは、ＬＴＥ  Ｒｅｌｅａｓｅ  ９において修正および改良の段階を経た後に、Ｒｅｌｅａｓｅ  １０に導入される。ＬＴＥ−Ａｄｖａｎｃｅｄは、ＩＴＵ（Ｉｎｔｅｒｎａｔｉｏｎａｌ  Ｔｅｌｅｃｏｍｍｕｎｉｃａｔｉｏｎ  Ｕｎｉｏｎ；  国際電気通信連合）によって決められた要件を満たさなければならない。
【０００７】
ＬＴＥ−Ａｄｖａｎｃｅｄでは、例えば、下りリンクＣｏＭＰ（ｃｏｏｐｅｒａｔｉｖｅ  ｍｕｌｔｉｐｏｉｎｔ）送信、キャリアアグリゲーション、および／または、高次ＭＩＭＯ（Ｍｕｌｔｉｐｌｅ  Ｉｎ  Ｍｕｌｔｉｐｌｅ  Ｏｕｔ）などによって、ＵＣＩ（Ｕｐｌｉｎｋ  Ｃｏｎｔｒｏｌ  Ｉｎｆｏｒｍａｔｉｏｎ；  上りリンク制御情報、例えば、ＨＡＲＱ−ＡＣＫ／ＮＡＣＫ、ＣＱＩ（Ｃｈａｎｎｅｌ  Ｑｕａｌｉｔｙ  Ｉｎｄｉｃａｔｏｒ；  チャネル品質指標）、ＳＲ（Ｓｃｈｅｄｕｌｉｎｇ  Ｒｅｑｕｅｓｔ；  スケジューリングリクエスト）など）のサイズが大きくなる。
【０００８】
２つ以上のコンポーネントキャリアが集約されるキャリアアグリゲーションは、２０ＭＨｚを超えて、最大で１００ＭＨｚまでの下りリンクの送信帯域幅をサポートするために、ＬＴＥ−Ａｄｖａｎｃｅｄにおける採用が検討されている（下記の非特許文献２を参照）。ＵＥの視点からは、スケジューリングされる各コンポーネントキャリアにおいて、１つのトランスポートブロック（空間多重化が存在しない場合）と、１つのＨＡＲＱエンティティとが存在する。ＵＥは、複数のコンポーネントキャリアを跨いでスケジューリングされてもよく、各トランスポートブロックは単一のコンポーネントキャリア内においてマッピングされる。
【０００９】
ＬＴＥ−ＡｄｖａｎｃｅｄにおけるＰＵＣＣＨでの送信について、いくつかの解決策が複数の企業によって提案された（非特許文献３を参照）。（異なる上りリンクのコンポーネントキャリアにわたる、または、１つの上りリンクのコンポーネントキャリア内の）複数のリソースブロック上におけるＰＵＣＣＨの同時送信がサポートされるのであれば、もっとも単純な選択肢は、ＬＴＥ  Ｒｅｌ−８におけるＰＵＣＣＨ構造と同じＰＵＣＣＨ構造を使用することである。
【００１０】
ＨＡＲＱ  ＡＣＫ／ＮＡＣＫバンドル構造は、ＬＴＥ  Ｒｅｌ−８におけるＴＤＤ（Ｔｉｍｅ  Ｄｉｖｉｓｉｏｎ  Ｄｕｐｌｅｘ；  時分割デュプレックス）のデフォルトのＡＣＫ／ＮＡＣＫフィードバックモードであって、このＨＡＲＱ  ＡＣＫ／ＮＡＣＫバンドル構造を、ＬＴＥ−ＡｄｖａｎｃｅｄにおいてＰＵＣＣＨでの送信を実現するための解決策として導入することも可能であろう。
【００１１】
また、多重化の方式も提案された解決策の１つである。多重化を行う場合には、ＰＵＣＣＨフォーマット１ｂをチャネル選択とともに利用したＨＡＲＱ−ＡＣＫ／ＮＡＣＫ多重化と呼ばれるＬＴＥ−Ｒｅｌ−８におけるＴＤＤ  ＨＡＲＱ−ＡＣＫ／ＮＡＣＫ多重化方式と同様に、互いに異なる下りリンク用コンポーネントキャリアからの複数のＰＤＳＣＨに対応する複数のＨＡＲＱ−ＡＣＫ／ＮＡＣＫフィードバックビットが、１つの上りリンクのコンポーネントキャリアにおいて送信される。
【先行技術文献】
【非特許文献】
【００１２】
【非特許文献１】「３ＧＰＰ  ＴＳＧ  ＲＡＮ  Ｅ−ＵＴＲＡ  Ｐｈｙｓｉｃａｌ  ｌａｙｅｒ  ｐｒｏｃｅｄｕｒｅ  （Ｒｅｌｅａｓｅ  ８）」、３ＧＰＰ  ＴＳ  ３６．２１３  Ｖ８．８．０、２００９−０９
【非特許文献２】「Ｃａｒｒｉｅｒ  ａｇｇｒｅｇａｔｉｏｎ  ｉｎ  ＬＴＥ−Ａｄｖａｎｃｅｄ」、３ＧＰＰ  ＴＳＧ  ＲＡＮ  ＷＧ１  Ｍｅｅｔｉｎｇ  ＃５３ｂｉｓ、Ｒ１−０８２４６８、２００８年７月
【非特許文献３】「Ｕｐｌｉｎｋ  ｃｏｎｔｒｏｌ  ｃｈａｎｎｅｌ  ｄｅｓｉｇｎ  ｆｏｒ  ＬＴＥ−Ａｄｖａｎｃｅｄ」、３ＧＰＰ  ＴＳＧ  ＲＡＮ  ＷＧ１  Ｍｅｅｔｉｎｇ  ＃５６、Ｒ１−０９０６２９、２００９年２月
【発明の概要】
【発明が解決しようとする課題】
【００１３】
ただし、上記の各従来技術では、複数のコンポーネントキャリアの場合において、上記ＵＣＩ（例えば、ＨＡＲＱ−ＡＣＫ／ＮＡＣＫ、ＣＱＩ、ＳＲなど）を送信するためのＰＵＣＣＨのリソースを、どのようにして割り当てるのかについて、具体的な記載がない。
【００１４】
上記の各従来技術は、どの技術も、ＬＴＥ  Ｒｅｌ−８において規定されるＰＵＣＣＨ構造およびリソースを、ＬＴＥ−Ａｄｖａｎｃｅｄにおいて、ＵＣＩ（例えば、ＨＡＲＱ−ＡＣＫ／ＮＡＣＫ、ＣＱＩ、ＳＲなど）を送信するために再利用しようと試みている。
【００１５】
しかしながら、どの技術もキャリアアグリゲーションの場合において、システム要件を満足に満たすことができない。
【００１６】
別の見込みのある解決策は、複数のコンポーネントキャリアに対するＵＣＩ（例えば、ＨＡＲＱ−ＡＣＫ／ＮＡＣＫ、ＣＱＩ、ＳＲなど）の送信に使用される、ＰＵＣＣＨフォーマット（つまり、ＵＣＩフォーマット）を導入することである。
【００１７】
この解決策に関連して、ＬＴＥ  Ｒｅｌ−８における現在のＰＵＣＣＨリソースの割り当て方は不適切になるので、上述のＰＵＣＣＨリソースの割り当て方式について再考する必要がある。
【００１８】
本発明は上述の状況を鑑みて成され、その目的は、物理上りリンク制御チャネルに対する柔軟なリソースの割り当てを実行し、ｅＮＢ（ｅｖｏｌｖｅｄ  Ｎｏｄｅ  Ｂ）とＵＥとの間でより効率的な送信制御（スケジューリング）を達成し得る、通信方法、通信システム、基地局、ユーザ装置、および、集積回路を提供することである。
【課題を解決するための手段】
【００１９】
上記の目的を達成するために、本発明は、以下のような手段を講じた。すなわち、本発明の通信システムは、基地局装置とユーザ装置とが、プライマリコンポーネントキャリアと複数の非プライマリコンポーネントキャリアとを用いて通信する通信システムであって、前記基地局装置は、上位層のシグナリングを用いて、複数の物理上りリンク制御チャネルリソースに対する４つのインデックスを前記ユーザ装置へ送信し、前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータを前記ユーザ装置へ送信し、前記ユーザ装置は、前記インデックスインジケータに従って、前記４つのインデックスの中から前記１つのインデックスを決定し、前記１つのインデックスが対応する物理上りリンク制御チャネルリソースを用いて、ＨＡＲＱ−ＡＣＫ／ＮＡＣＫを前記基地局装置へ送信し、前記下りリンク制御情報フォーマットは、前記非プライマリコンポーネントキャリアにおける物理下りリンク共有チャネルをスケジューリングするために使用される、ことを特徴とする。
【００２０】
また、本発明の基地局装置は、基地局装置とユーザ装置とが、プライマリコンポーネントキャリアと複数の非プライマリコンポーネントキャリアとを用いて通信する通信システムにおける基地局装置であって、前記基地局装置は、上位層のシグナリングを用いて、複数の物理上りリンク制御チャネルリソースに対する４つのインデックスを前記ユーザ装置へ送信するためのユニットと、前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータを前記ユーザ装置へ送信するためのユニットと、前記１つのインデックスが対応する物理上りリンク制御チャネルリソースを用いて、ＨＡＲＱ−ＡＣＫ／ＮＡＣＫを前記ユーザ装置から受信するためのユニットと、を備え、前記１つのインデックスは、前記インデックスインジケータに従って、前記４つのインデックスの中から前記ユーザ装置によって決定され、前記下りリンク制御情報フォーマットは、前記非プライマリコンポーネントキャリアにおける物理下りリンク共有チャネルをスケジューリングするために使用される、ことを特徴とする。
【００２１】
また、本発明のユーザ装置は、基地局装置とユーザ装置とが、プライマリコンポーネントキャリアと複数の非プライマリコンポーネントキャリアとを用いて通信する通信システムにおけるユーザ装置であって、前記ユーザ装置は、前記基地局装置から受信した上位層のシグナリングに基づいて、複数の物理上りリンク制御リソースに対する４つのインデックスを設定されるためのユニットと、インデックスインジケータに従って、前記４つのインデックスの中から１つのインデックスを決定するためのユニットと、前記１つのインデックスが対応する物理上りリンク制御チャネルリソースを用いて、ＨＡＲＱ−ＡＣＫ／ＮＡＣＫを前記基地局装置へ送信するためのユニットと、を備え、同一の物理上りリンク制御チャネルリソースに対する前記１つのインデックスを示す前記インデックスインジケータは、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、前記下りリンク制御情報フォーマットは、前記非プライマリコンポーネントキャリアにおける物理下りリンク共有チャネルをスケジューリングするために使用される、ことを特徴とする。
【００２２】
また、本発明の基地局装置の方法は、基地局装置とユーザ装置とが、プライマリコンポーネントキャリアと複数の非プライマリコンポーネントキャリアとを用いて通信する通信システムにおける基地局装置の方法であって、上位層のシグナリングを用いて、複数の物理上りリンク制御チャネルリソースに対する４つのインデックスを前記ユーザ装置へ送信し、前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータを前記ユーザ装置へ送信し、前記１つのインデックスが対応する物理上りリンク制御チャネルリソースを用いて、ＨＡＲＱ−ＡＣＫ／ＮＡＣＫを前記ユーザ装置から受信し、前記１つのインデックスは、前記インデックスインジケータに従って、前記４つのインデックスの中から前記ユーザ装置によって決定され、前記下りリンク制御情報フォーマットは、前記非プライマリコンポーネントキャリアにおける物理下りリンク共有チャネルをスケジューリングするために使用される、ことを特徴とする。
【００２３】
また、本発明のユーザ装置の方法は、基地局装置とユーザ装置とが、プライマリコンポーネントキャリアと複数の非プライマリコンポーネントキャリアとを用いて通信する通信システムにおけるユーザ装置の方法であって、前記基地局装置から受信した上位層のシグナリングに基づいて、複数の物理上りリンク制御リソースに対する４つのインデックスを設定し、インデックスインジケータに従って、前記４つのインデックスの中から１つのインデックスを決定し、前記１つのインデックスが対応する物理上りリンク制御チャネルリソースを用いて、ＨＡＲＱ−ＡＣＫ／ＮＡＣＫを前記基地局装置へ送信し、同一の物理上りリンク制御チャネルリソースのインデックスを示す前記１つのインデックスインジケータは、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、前記下りリンク制御情報フォーマットは、前記非プライマリコンポーネントキャリアにおける物理下りリンク共有チャネルをスケジューリングするために使用される、ことを特徴とする。
【００２４】
また、本発明の基地局装置に搭載される集積回路は、基地局装置とユーザ装置とが、プライマリコンポーネントキャリアと複数の非プライマリコンポーネントキャリアとを用いて通信する通信システムにおける基地局装置に搭載される集積回路であって、上位層のシグナリングを用いて、複数の物理上りリンク制御チャネルリソースに対する４つのインデックスを前記ユーザ装置へ送信するためのロジック素子と、前記複数の非プライマリコンポーネントキャリアに対応する夫々の下りリンク制御情報フォーマットにおける物理上りリンク制御チャネルに対する送信電力制御コマンドフィールドを用いて、同一の物理上りリンク制御チャネルリソースに対する１つのインデックスを示すインデックスインジケータを前記ユーザ装置へ送信するためのロジック素子と、前記１つのインデックスが対応する物理上りリンク制御チャネルリソースを用いて、ＨＡＲＱ−ＡＣＫ／ＮＡＣＫを前記ユーザ装置から受信するためのロジック素子と、を備え、前記１つのインデックスは、前記インデックスインジケータに従って、前記４つのインデックスの中から前記ユーザ装置によって決定され、前記下りリンク制御情報フォーマットは、前記非プライマリコンポーネントキャリアにおける物理下りリンク共有チャネルをスケジューリングするために使用される、ことを特徴とする。
【００２５】
また、本発明のユーザ装置に搭載される集積回路は、基地局装置とユーザ装置とが、プライマリコンポーネントキャリアと複数の非プライマリコンポーネントキャリアとを用いて通信する通信システムにおけるユーザ装置に搭載される集積回路であって、前記基地局装置から受信した上位層のシグナリングに基づいて、複数の物理上りリンク制御リソースに対する４つのインデックスを設定するためのロジック素子と、インデックスインジケータに従って、前記４つのインデックスの中から１つのインデックスを決定するためのロジック素子と、前記１つのインデックスが対応する物理上りリンク制御チャネルリソースを用いて、ＨＡＲＱ−ＡＣＫ／ＮＡＣＫを前記基地局装置へ送信するためのロジック素子と、を備え、前記１つのインデックスを示す前記インデックスインジケータは、前記複数の非プライマリコンポーネントキャリアに対応する夫々の下りリンク制御情報フォーマットにおける物理上りリンク制御チャネルに対する送信電力制御コマンドフィールドを用いて前記基地局装置によって送信され、前記下りリンク制御情報フォーマットは、前記非プライマリコンポーネントキャリアにおける物理下りリンク共有チャネルをスケジューリングするために使用される、ことを特徴とする。
【００２６】
本発明の前述および他の目的、特徴、および効果は、本発明の後述する詳細な説明を、添付の図面と共に考慮すれば、より容易に理解できるであろう。
【図面の簡単な説明】
【００２７】
【図１】本発明に係るキャリアアグリゲーション可能なシステム構成の一例を示す概略図である。
【図２】キャリアアグリゲーション可能なシステム構成において使用可能なＤＣＩフォーマット１ＡおよびＤＣＩフォーマット１Ｃの複数の例を示す概略図である。
【図３】本発明の一実施形態に係るシグナリング通信のフローを示す概略図である。
【図４】本発明の一実施形態に係るＰＵＣＣＨ構成情報要素の内容の一例である。
【図５】本発明の一実施形態に係る別のＰＵＣＣＨ構成情報要素の内容の一例である。
【図６】本発明の第１の実施形態に係る、ＤＣＩフォーマットを利用してＰＵＣＣＨリソースインデックスを送信する一例を示す概略図である。
【図７】本発明の第２の実施形態に係る、ＤＣＩフォーマットを利用してＰＵＣＣＨリソースインデックスを送信する一例を示す概略図である。
【図８】本発明の第３の実施形態に係る、ＤＣＩフォーマットを利用してＰＵＣＣＨリソースインデックスを送信する一例を示す概略図である。
【図９】本発明の一実施形態に係る基地局の概略的な構成例を示す機能ブロック図である。
【図１０】本発明の一実施形態に係るユーザ装置の概略的な構成例を示す機能ブロック図である。
【発明を実施するための形態】
【００２８】
本発明の実施形態は図面を参照することによって最もよく理解できるであろう。全ての図面において、同じ部材は同じ部材番号で表記されている。上記において列挙した図面は、この詳細な説明の一部として明示的に組み込まれるものとする。
【００２９】
本発明の各部材は、ここで一般的に図面において記載および図示されるように、さまざまな異なる構成を取るように構築および設計可能であることが容易に理解できよう。したがって、本発明の方法およびシステムの各実施形態に関して以下に記すより詳細な説明は、本発明の技術的範囲に限定を加えることを意図とするものではなく、本発明の現在好適と考えられる実施形態の一つの表現にすぎない。
【００３０】
本発明をよく理解するために、まず、キャリアアグリゲーション可能な広帯域システムについて記載する。
【００３１】
図１は、複数のコンポーネントキャリアから構成される、より広い送信帯域幅をサポートするシステム構成（つまり、キャリアアグリゲーションをサポートするシステム）を示している。図１に示す例として、３つの下りリンクのコンポーネントキャリア（ＤＬ  ＣＣ１、ＤＬ  ＣＣ２、および、ＤＬ  ＣＣ３）ならびに３つの上りリンクのコンポーネントキャリア（ＵＬ  ＣＣ１、ＵＬ  ＣＣ２、および、ＵＬ  ＣＣ３）が示されている。基地局とＵＥとが、複数のコンポーネントキャリアを利用することによってＤＬデータ／ＵＬデータの送信を実施する。
【００３２】
図１では、上記基地局は、ＰＤＣＣＨ（Ｐｈｙｓｉｃａｌ  Ｄｏｗｎｌｉｎｋ  Ｃｏｎｔｒｏｌ  Ｃｈａｎｎｅｌ；  物理下りリンク制御チャネル）を使用することによって、ＰＤＳＣＨ（Ｐｈｙｓｉｃａｌ  Ｄｏｗｎｌｉｎｋ  Ｓｈａｒｅｄ  Ｃｈａｎｎｅｌ；  物理下りリンク共有チャネル）を上記ＵＥに割り当てることができる。図１に示すように、基地局（“ＢＳ”；  ｂａｓｅ  ｓｔａｔｉｏｎ）は、ユーザ装置（“ＵＥ”；  ｕｓｅｒ  ｅｑｕｉｐｍｅｎｔ）に、ＤＬ  ＣＣ１上にマッピングされたＰＤＳＣＨをＤＬ  ＣＣ１上にマッピングされたＰＤＣＣＨによって割り当て（斜線のブロックで示す）、ＤＬ  ＣＣ２上にマッピングされたＰＤＳＣＨをＤＬ  ＣＣ２上にマッピングされたＰＤＣＣＨによって割り当て（十字線のブロックで示す）、さらに、ＤＬ  ＣＣ３上にマッピングされたＰＤＳＣＨをＤＬ  ＣＣ３上にマッピングされたＰＤＣＣＨによって割り当てる（垂直線のブロックで示す）。ここでは、上記基地局は、ＰＤＣＣＨがマッピングされるコンポーネントキャリアと同一のコンポーネントキャリア上に、または、ＰＤＣＣＨがマッピングされるコンポーネントキャリアとは異なるコンポーネントキャリア上に、ＰＤＳＣＨを割り当てることができる。
【００３３】
図１において、上記基地局は、基地局のスケジューリング（割り当て）に従って、ＰＤＳＣＨおよび／またはＰＤＣＣＨがマップされるかもしれない下りリンクのコンポーネントキャリアのペアであるＤＬ  ＣＣセットを、ＵＥに対して、ＵＥの能力に従って設定することができる。また、基地局は、基地局のスケジューリング（割り当て）に従って、ＰＵＳＣＨ（Ｐｈｙｓｉｃａｌ  Ｕｐｌｉｎｋ  Ｓｈａｒｅｄ  Ｃｈａｎｎｅｌ；  物理上りリンク共有チャネル）および／またはＰＵＣＣＨ（Ｐｈｙｓｉｃａｌ  Ｕｐｌｉｎｋ  Ｃｏｎｔｒｏｌ  Ｃｈａｎｎｅｌ；  物理上りリンク制御チャネル）がマップされるかもしれない上りリンクのコンポーネントキャリアのペアであるＵＬ  ＣＣセットを、ＵＥに対して設定してもよい。
【００３４】
ここで、図１に示すように、基地局は、ＵＥに対して、プライマリＤＬ  ＣＣ／ＵＬ  ＣＣのペアを設定することができる。例えば、基地局は、ブロードキャスト情報（例えば、ＳＩＢ（Ｓｙｓｔｅｍ  Ｉｎｆｏｒｍａｔｉｏｎ  Ｂｌｏｃｋ；  システム情報ブロック））によって、プライマリＤＬ  ＣＣ／ＵＬ  ＣＣのペアを、ＵＥに対して、セル固有に設定することができる。
【００３５】
また、例えば、基地局は、専用のシグナリング（ｄｅｄｉｃａｔｅｄシグナリング、例えば、ＲＲＣ（Ｒａｄｉｏ  Ｒｅｓｏｕｒｃｅ  Ｃｏｎｔｒｏｌ）シグナリング）によって、プライマリＤＬ  ＣＣ／ＵＬ  ＣＣのペアを、ＵＥに対して、ＵＥ固有(ＵＥスペシフィック)に（半静的に）設定することができる。このＲＲＣシグナリングは、上位層（ＲＲＣ層）において、基地局とＵＥとの間で送受信されるシグナリングである。図１に示す例のように、基地局は、ＵＥに対して、ＤＬ  ＣＣ２およびＵＬ  ＣＣ２を、上記プライマリＤＬ  ＣＣ／ＵＬ  ＣＣのペアとして設定する。
【００３６】
また、図１では、上記基地局は、ＵＥに対して、プライマリＤＬ  ＣＣを設定することができる。例えば、基地局は、ブロードキャスト情報（例えば、ＳＩＢ）によって、プライマリＤＬ  ＣＣを、ＵＥに対して、セル固有に構成することができる。また、例えば、基地局は、専用のシグナリング（ｄｅｄｉｃａｔｅｄシグナリング、例えば、上記ＲＲＣシグナリング）によって、上記プライマリＤＬ  ＣＣを、ＵＥに対して、ＵＥ固有に（半静的に）設定することができる。
【００３７】
さらに、図１では、上記基地局は、プライマリＵＬ  ＣＣを、ＵＥに対して設定することができる。例えば、基地局は、ブロードキャスト情報（例えば、ＳＩＢ）によって、上記プライマリＵＬ  ＣＣを、ＵＥに対して、セル固有に設定することができる。また、例えば、基地局は、専用のシグナリング（ｄｅｄｉｃａｔｅｄシグナリング、例えば、上記ＲＲＣシグナリング）によって、上記プライマリＵＬ  ＣＣを、ＵＥに対して、ＵＥ固有に（半静的に）設定することができる。図１に示す例のように、基地局は、ＵＥに対して、ＤＬ  ＣＣ２を上記プライマリＤＬ  ＣＣとして、かつ、ＵＬ  ＣＣ２を上記プライマリＵＬ  ＣＣとして設定する。
【００３８】
上記ＵＥは、上記基地局によって設定されたプライマリＵＬ  ＣＣのみだけにマッピングされたＰＵＣＣＨ上で、上記上りリンク制御情報を基地局へ送信する（実線の矢印で示す）。具体的には、ＵＥは、ＵＣＩ（例えば、ＨＡＲＱ−ＡＣＫ／ＮＡＣＫ、および／または、ＣＱＩ、および／または、ＳＲ）を、基地局によって設定されたプライマリＵＬ  ＣＣ上にマッピングされたＰＵＣＣＨ上で送信する。図１は、ＵＥが、基地局によって設定されたＵＬ  ＣＣ２上のＰＵＣＣＨ（水平線のブロックで示す）上で、ＵＣＩ（例えば、ＨＡＲＱ−ＡＣＫ／ＮＡＣＫ、および／または、ＣＱＩ、および／または、ＳＲ）を基地局へ送信する様子を示している。
【００３９】
例えば、ＵＥは、半静的に設定された、ＵＥ固有な単一のＵＬ  ＣＣ上で、ＤＬ  ＣＣ（例えば、最大で５つのＤＬ  ＣＣ）に対する周期的ＣＳＩ（Ｃｈａｎｎｅｌ  Ｓｔａｔｅ  Ｉｎｆｏｒｍａｔｉｏｎ；  チャネル状態情報、ＣＱＩを含む）の報告を基地局へ送信することができる。また、例えば、ＵＥは、半静的に設定された、ＵＥ固有な単一のＵＬ  ＣＣ上で、ＵＬ  ＣＣ（例えば、最大で５つのＵＬ  ＣＣ）におけるＵＬリソースをリクエストする（ＵＬ送信のためのリソースの割り当てをリクエストする）ためのＳＲを、基地局へ送信することができる。
【００４０】
また、例えば、ＵＥは、半静的に設定された、ＵＥ固有な単一のＵＬ  ＣＣ上で、複数のＤＬ  ＣＣ（例えば、最大で５ＤＬ  ＣＣ）上において同時に送信される複数の下りリンクトランスポートブロックに対するＨＡＲＱ−ＡＣＫ／ＮＡＣＫを基地局へ送信することができる。
【００４１】
本実施形態では、上記ＵＥは、上記半静的に設定された、ＵＥ固有な単一のＵＬ  ＣＣ上にマッピングされたＰＵＣＣＨ上で、ＵＣＩ（Ｕｐｌｉｎｋ  Ｃｏｎｔｒｏｌ  Ｉｎｆｏｒｍａｔｉｏｎ；  上りリンク制御情報（例えば、ＨＡＲＱ−ＡＣＫ／ＮＡＣＫ、ＳＲ、および、周期的ＣＳＩ））を送信することができる。
【００４２】
また、図１では、上記基地局は、ＭＡＣ（Ｍｅｄｉｕｍ  Ａｃｃｅｓｓ  Ｃｏｎｔｒｏｌ）シグナリングを介して、上記プライマリＤＬ  ＣＣおよび／またはプライマリＵＬ  ＣＣを除くＣＣを起動（アクティベイト）／停止（デアクティベイト）することができる。このＭＡＣシグナリングは、上位層（ＭＡＣ層）において、基地局とＵＥとの間で送受信されるシグナリングである。
【００４３】
また、上記基地局は、上記プライマリＤＬ  ＣＣを除くＤＬ  ＣＣを起動／停止することができる。具体的には、基地局は、基地局のスケジューリング（割り当て）に従って、ＰＤＳＣＨおよび／またはＰＤＣＣＨがマッピングされるかれもしれない下りリンクのコンポーネントキャリアである少なくとも１つのＤＬ  ＣＣを、ＵＥに対して、起動することができる。また、上記基地局は、基地局のスケジューリング（割り当て）に従って、ＰＤＳＣＨおよび／またはＰＤＣＣＨがマッピングされるかもしれない下りリンクのコンポーネントキャリアである少なくとも１つのＤＬ  ＣＣを、ＵＥに対して、停止することができる。
【００４４】
また、上記基地局は、上記プライマリＵＬ  ＣＣを除くＵＬ  ＣＣを起動（アクティベイト）／停止（デアクティベイト）することができる。具体的には、基地局は、基地局のスケジューリング（割り当て）に従って、ＰＵＳＣＨおよび／またはＰＵＣＣＨがマッピングされるかもしれない上りリンクのコンポーネントキャリアである少なくとも１つのＵＬ  ＣＣを、ＵＥに対して、起動することができる。また、基地局は、基地局のスケジューリング（割り当て）に従って、ＰＵＳＣＨおよび／またはＰＵＣＣＨがマッピングされるかもしれない上りリンクのコンポーネントキャリアである少なくとも１つのＵＬ  ＣＣを、ＵＥに対して、停止することができる。
【００４５】
当業者であれば、図１がキャリアアグリゲーション可能なシステムの一例にすぎないこと、また、本発明が他のキャリアアグリゲーション可能なシステムにも適用され得ることは理解されるであろう。
【００４６】
図２は、図１に示すキャリアアグリゲーション可能なシステムにおいて使用可能なＤＣＩ（Ｄｏｗｎｌｉｎｋ  Ｃｏｎｔｒｏｌ  Ｉｎｆｏｒｍａｔｉｏｎ；  下りリンク制御情報）フォーマットの構成形態の一例を示している。ＤＣＩフォーマットとして、ＤＣＩフォーマットに含まれる情報（ＤＣＩフォーマットを構成する情報）に応じて、様々なＤＣＩフォーマットが規定されてもよい。図２の左側のＤＣＩフォーマットは、下りリンクに使用され（以下の記載では、ランダムアクセススケジューリングＤＣＩフォーマット１Ａ）、図２の中央のＤＣＩフォーマットも下りリンクに使用される（以下の記載では、コンパクトスケジューリングＤＣＩフォーマット１Ａ）。さらに、図２の右側のＤＣＩフォーマットも下りリンクに使用される（以下の記載では、ＤＣＩフォーマット１Ｃ）。
【００４７】
ここでは、コンパクトスケジューリングＤＣＩフォーマット１Ａが、１つのＰＤＳＣＨコードワードのコンパクトスケジューリングのために使用される。なお、コンパクトスケジューリングとは、リソースブロック割り当て情報が、１組の連続して割り当てられるローカル型仮想的リソースブロック（ＶＲＢ、ｖｉｒｔｕａｌ  ｒｅｓｏｕｒｃｅ  ｂｌｏｃｋ）または分散型仮想的リソースブロックを、スケジューリングされるＵＥに対して示すことを意味する。基地局は、ＰＤＣＣＨ上でコンパクトスケジューリングＤＣＩフォーマット１Ａを使用することによって、１回のＰＤＳＣＨコードワードの送信のためのリソースブロックをユーザ装置に対して割り当てる。
【００４８】
コンパクトスケジューリングＤＣＩフォーマット１Ａによって、以下の情報が送信される。
・キャリアインジケータ（３ビット）：  基地局が割り当てるＰＤＳＣＨがマップされるコンポーネントキャリアを示す（このフィールドはＣＩＦ（キャリアインジケータフィールド）を有効とすることが可能なコンポーネントキャリアにおいて存在する）。
・フォーマット０／フォーマット１Ａ識別用フラグ（１ビット）：  ＤＣＩフォーマット０（上りリンクの割り当てに用いられるＤＣＩフォーマット）と、ＤＣＩフォーマット０に等しいサイズを有するＤＣＩフォーマット１Ａ（下りリンクに用いられるＤＣＩフォーマット）とを特定する（０がフォーマット０を示し、１がフォーマット１Ａを示す）。
・ローカル型／分散型ＶＲＢ割り当て用フラグ（１ビット）：  このフラグはＶＲＢのタイプを示す。ここでは、ローカル型ＶＲＢおよび分散型ＶＲＢの２つのＶＲＢのタイプを使用する。ローカル型ＶＲＢの場合には、１対のＶＲＢが、１つのサブフレーム中の２つのスロットにわたって、同一周波数上で、２つの物理リソースブロックにマッピングされる。分散型ＶＲＢの場合には、１対のＶＲＢが、１つのサブフレーム中の２つのスロットにわたって、２つの異なる周波数上で、２つの物理リソースブロックにマッピングされる。
・リソースブロック割り当て（
【００４９】
【数１】
0005635623.tif 000002
【００５０】
ビット）：  NDLRBは、このＤＣＩフォーマットでは、キャリアインジケータが示すコンポーネントキャリアのリソースブロック番号である。このフィールドは、ＰＤＳＣＨに対するスケジューリングされるリソースブロックの割り当てを示す。
・変調および符号化方式（５ビット）：  変調および符号化方式の情報を示す。
・ＨＡＲＱプロセス番号（３ビット）：  プロセス番号を示す。
・新規データインジケータ（１ビット）：  新規データまたは再送済みデータを示す。
・冗長度バージョン（ｒｅｄｕｎｄａｎｃｙ  ｖｅｒｓｉｏｎ、２ビット）：  新規データまたは再送済みデータの冗長度バージョンを示す。
・ＰＵＣＣＨに対するＴＰＣ（Ｔｒａｎｓｍｉｓｓｉｏｎ  Ｐｏｗｅｒ  Ｃｏｎｔｒｏｌ；  送信電力制御）コマンド（２ビット）：  ＰＵＣＣＨに対する送信電力制御を示す。
・パディングビット：  ＤＣＩフォーマット１Ａの場合に、ＤＣＩフォーマット１Ａにおける情報ビット数がＤＣＩフォーマット０における情報ビット数より小さい場合、ペイロードのサイズがＤＣＩフォーマット０のペイロードのサイズに等しくなるまで０が追加される。
【００５１】
図２の左側の表に示すように、ＤＣＩフォーマット１Ａ（つまり、ランダムアクセススケジューリングＤＣＩフォーマット１Ａ）は、ＰＤＣＣＨコマンドによってランダムアクセス手順を開始するためにも使用される。基地局は、ランダムアクセス手順のためのパラメータをユーザ装置に割り当て、ＤＣＩフォーマット１Ａによって、該パラメータの初期化を開始する。本実施形態では、ＤＣＩフォーマット１ＡのＣＲＣ（Ｃｙｃｌｉｃ  ｒｅｄｕｎｄａｎｃｙ  ｃｈｅｃｋ；  周期的冗長検査）が、Ｃ−ＲＮＴＩ（Ｃｅｌｌ  Ｒａｄｉｏ  Ｎｅｔｗｏｒｋ  Ｔｅｍｐｏｒａｒｙ  ＩＤ）を用いてスクランブルされ、かつ、所定の（ある）複数のフィールドが以下に列挙するように設定されている場合にのみ、ＤＣＩフォーマット１Ａが、ＰＤＣＣＨコマンドによって開始されるランダムアクセス手順のために使用される。この複数のフィールドの設定とは、
・ローカル型／分散型ＶＲＢ割り当て用フラグに、「０」がセットされていること、
・リソースブロック割り当てでは、全てのビットが「１」にセットされていること、
・コンパクトスケジューリングＤＣＩフォーマット１Ａにおける残りの全てのビットが「０」にセットされていること、である。
【００５２】
上記所定の各フィールドが、上記の値（所定の／ある値）にセットされている場合、図２の左側の表に示すＤＣＩフォーマット１Ａにおけるその他のフィールドが、以下のように認識される。
・プリアンブルインデックス（６ビット）：  ランダムアクセスプリアンブルを送信するための、ＰＲＡＣＨ（Ｐｈｙｓｉｃａｌ  Ｒａｎｄｏｍ  Ａｃｃｅｓｓ  Ｃｈａｎｎｅｌ；  物理ランダムアクセスチャネル）リソースの利用可能な組を示す。
・ＰＲＡＣＨマスクインデックス（４ビット）：  ＵＥが、ランダムアクセスプリアンブルを送信することができるシステムフレームにおいてＰＲＡＣＨリソースを規定する。
【００５３】
具体的には、ＤＣＩフォーマット１Ａにおける所定の／指定のフィールドが、所定の／指定の値（例えば、「０」または「１」）にセットされている場合に、ランダムアクセススケジューリングＤＣＩフォーマット１Ａが、ＰＤＣＣＨコマンドによって開始されるランダムアクセス手順のために使用される。
【００５４】
例えば、ローカル型／分散型ＶＲＢ割り当て用フラグのフィールドが「０」にセットされ、かつ、リソースブロック割り当てのフィールドが「１」にセットされている場合、基地局およびユーザ装置は、ＰＤＣＣＨコマンドによって開始されるランダムアクセス手順にＤＣＩフォーマット１Ａが使用されることを認識する。この場合、例えば、リソースブロック割り当てのフィールド中の全てのビットが「１」にセットされる。基地局およびユーザ装置は、他のフィールド（ただし、ローカル型／分散型ＶＲＢ割り当て用フラグのフィールドとリソースブロック割り当てのフィールドとは除く）を、ランダムアクセス手順のフィールドとして認識（確認）することができる。
【００５５】
基地局は、所定の／指定のフィールドが、所定の／指定の値にセットされたＤＣＩフォーマットをユーザ装置へ送信する。このＤＣＩフォーマットを受信すると、ユーザ装置はランダムアクセス手順の初期化を実施する。指定のフィールドが、指定の値にセットされたＤＣＩフォーマットに基づいて、ユーザ装置は、所定のフィールドを除いた他のフィールドをランダムアクセス手順のフィールドとして認識する。
【００５６】
具体的には、上記基地局およびユーザ装置は、所定の／指定のフィールドにセットされた値に基づいて、ＤＣＩフォーマット１Ａにおけるフィールドの解釈を変更する。ここでは、ＤＣＩフォーマット１Ａにおけるどのフィールドがどの値にセットされた場合に、どのフィールドの解釈が変更されるのかが、予め仕様などによって規定される。基地局およびユーザ装置は、所定のフィールド（第２の所定のフィールド）の解釈を、別の所定のフィールド（第１の所定のフィールド）の値に基づいて変更することができる。
【００５７】
上記基地局およびユーザ装置は、相対的な情報をあらかじめ共有することができる。本発明では、ＤＣＩフォーマットをこのように使用することを、「ＤＣＩフォーマットの再利用」とも呼称する。ＤＣＩフォーマットが、基地局とユーザ装置との間で、上述のように送信されることによって、ユーザ装置に対するブラインド復号化の回数は増加しないと考えられる。
【００５８】
さらに、ＤＣＩフォーマット１Ｃは、１つのＰＤＳＣＨコードワードの非常にコンパクトなスケジューリングに使用される。ここで、非常にコンパクトなスケジューリングとは、リソースブロック割り当て情報が、スケジューリングされるＵＥに対して、１組の連続して割り当てられた分散型仮想的リソースブロック群を示すことを意味する。
【００５９】
ＤＣＩフォーマット１Ｃによって、以下に列挙する情報が送信される。
・ギャップ値（１ビット）：  分散型ＶＲＢのマッピング規則を示す。
・NDLRB< 50  の場合、ギャップを示すビットは存在しない。NDLRBは、このＤＣＩフォーマットが送信されるコンポーネントキャリアのリソースブロック番号である。
・リソースブロック割り当て（
【００６０】
【数２】
0005635623.tif 000003
【００６１】
ビット）：  NDLVRB,gap1は、上記スケジューリングされるコンポーネントキャリアの仮想的リソースブロック番号であり、NstepRBは、分散型仮想的リソースブロック群のサイズである。
・トランスポートブロックサイズインデックス（５ビット）：  スケジューリングされるＰＤＳＣＨのトランスポートブロックサイズを示す。
【００６２】
なお、ＤＣＩフォーマット１Ｃのサイズは、ＤＣＩフォーマット１Ａのサイズに比べてはるかに小さい。また、ＤＣＩフォーマット１ＡおよびＤＣＩフォーマット１Ｃは、ペイロードが互いに異なる。異なるサイズのビットストリームを要約化し、ＣＲＣチェックを実施すれば、うまくチェックできたストリームのサイズにしたがって、１つの専用のＤＣＩフォーマット（１Ａ／１Ｃ）が検出できる。
＜シグナリング通信のフロー＞
図３は、本発明の一実施形態に係る物理上りリンク制御シグナリングのリソース割り当てのためのシグナリング通信のフローを示す概略図である。
【００６３】
図３に示すように、本発明に係る物理上りリンク制御シグナリングのリソース割り当てのためのシグナリング通信のフローは、次の各ステップを含む。例えば、上記基地局（“ＢＳ”；  ｂａｓｅ  ｓｔａｔｉｏｎ）１００は、上記ＭＡＣシグナリングを使用することによって、設定した下りリンクのコンポーネントキャリアのセットの中から、１つまたは複数の下りリンクのコンポーネントキャリアを、ＵＥ固有に起動する（ステップ３０１）。さらに、例えば、基地局は、ＲＲＣ（Ｒａｄｉｏ  Ｒｅｓｏｕｒｃｅ  Ｃｏｎｔｒｏｌ）シグナリングを使用することによって、ＰＵＣＣＨリソースを設定するためのパラメータを、ユーザ装置に対して、ＵＥ固有に設定する（ステップ３０２）。
【００６４】
本発明のＵＥ固有に設定されるパラメータには、ＰＵＣＣＨリソースリストやコンポーネントキャリアインデックスが含まれる。ここで、該ＰＵＣＣＨリソースリストは、ユーザ装置が、ＵＣＩ（例えば、ＨＡＲＱ−ＡＣＫ、および／または、ＣＱＩ、および／または、ＳＲ）を送信するためのＰＵＣＣＨリソースとして利用可能な候補となる１つまたは複数のＰＵＣＣＨリソースを示す情報が含まれる。
【００６５】
また、該コンポーネントキャリアインデックスは、ＰＵＣＣＨリソースリストの中のＰＵＣＣＨリソースが設定されるコンポーネントキャリアを示す。具体的には、ＲＲＣシグナリングは、１つの特定のＵＥ（例えば、ＵＥ２００）に対して、専用のＰＵＣＣＨの設定を指定するように規定されてもよい。また、ＲＲＣシグナリングにおいて、１つのＰＵＣＣＨリソース候補が、ＵＥのＰＵＣＣＨでの送信のための１つの物理リソースにリンクされ得る、利用可能なＰＵＣＣＨリソース候補リストを示すために、少なくとも１つのフィールドが留保される。
【００６６】
コンポーネントキャリアの起動に成功し、ＰＵＣＣＨの設定パラメータが正しく受信された後に、上記基地局はスケジューリングをし、ＰＤＣＣＨを介して、例えば、ＤＣＩを使用することによってＰＵＣＣＨリソースを示すために、ＰＵＣＣＨリソースインデックスをユーザ装置へ送信する（ステップ３０３）。具体的には、基地局は、上記ＲＲＣシグナリングを使用することによって設定したＰＵＣＣＨリソースリストの中の候補から、ユーザ装置が、ＵＣＩ（ＨＡＲＱ−ＡＣＫ、および／または、ＣＱＩ、および／または、ＳＲ）を送信するためのＰＵＣＣＨリソースを、ＰＤＣＣＨを介してＤＣＩを使用することによって示す。
【００６７】
上記ＤＣＩによって送信されるＰＵＣＣＨリソースの割り当て情報を受信した後に、ユーザ装置は、起動された下りリンクのコンポーネントキャリアに対するＵＣＩ（例えば、ＨＡＲＱ−ＡＣＫ／ＮＡＣＫ、および／または、ＣＱＩ、および／または、ＳＲ）を送信するためのＰＵＣＣＨリソースを設定する（ステップ３０４）。ユーザ装置は、ステップ３０４で設定されたＰＵＣＣＨリソースにおいて、起動された下りリンクのコンポーネントキャリアに対するＵＣＩを基地局へ送信する（ステップ３０５）。具体的には、例えば、ユーザ装置は、基地局から複数のＰＤＳＣＨを介して、同一サブフレームにおいて送信された複数の下りリンクトランスポートブロックに対するＨＡＲＱ−ＡＣＫ／ＮＡＣＫを示す上りリンク制御情報を基地局へ送信する。また、例えば、ユーザ装置は、複数の下りリンクのコンポーネントキャリアにおいてチャネル品質を示す上りリンク制御情報を基地局へ送信する。また、例えば、ユーザ装置は、上りリンクデータを送信するために、複数の上りリンクのコンポーネントキャリア上において上りリンクリソースをリクエストする上りリンク制御情報を基地局へ送信する。
【００６８】
上記スケジューリングに従って、基地局は、１つまたは複数の下りリンクのコンポーネントキャリアを停止させるために、例えば、上記ＭＡＣシグナリングを使用することによって、下りリンクのコンポーネントキャリアの停止のためのシグナリングをユーザ装置へ送信する（ステップ３０６）。ここでは、基地局が、ＤＬにおいて、プライマリコンポーネントキャリアを除く全ての下りリンクのコンポーネントキャリアを停止させる場合、ユーザ装置は、上記ＰＵＣＣＨリソースの設定のためのパラメータによって設定される上記ＰＵＣＣＨリソースを解放する（ステップ３０７）。
【００６９】
上記のＰＵＣＣＨリソースは、時間領域カバーおよび／または周期的シフトとともに、リソースブロックを示す（具体的なパラメータは、上記ＰＵＣＣＨフォーマットの設計上の詳細な事項に依存する）。設定可能なサイズを有するこれらのＰＵＣＣＨリソースは、１組が、ＵＣＩ（ＨＡＲＱ−ＡＣＫ／ＮＡＣＫ、または／および、ＣＱＩ、および／または、スケジューリングリクエスト）の送信に固有に留保され、その一方で、ユーザ装置は、複数のコンポーネントキャリア上でＰＤＳＣＨを送信するようにスケジューリングされる。なお、このＰＵＣＣＨリソースのセットは、新たに規定され、ＬＴＥ  Ｒｅｌ−８においてＵＣＩ送信のために指定されるものとは異なる。
【００７０】
基地局は、専用のシグナリング（ｄｅｄｉｃａｔｅｄシグナリング、例えば、ＲＲＣシグナリング）および／またはブロードキャストシグナリング（例えば、ＳＩＢ）を介して、ＰＵＣＣＨリソースのセットのための設定（例えば、初期の位置の情報やサイズの情報）について、ユーザ装置へ信号を送信する。上記ＰＵＣＣＨリソースインデックスは、設定されたＰＵＣＣＨリソースのセットの中の１つの専用のＰＵＣＣＨリソースを示す。
【００７１】
下記の各実施形態について、図３のシグナリング手順に基づいて記載する。ただし、下記の実施例および実施形態には、ＰＵＣＣＨでの送信を実行するための上記シグナリング手順または変形例も採用できることは理解できるであろう。
【００７２】
図４は、本発明の一実施形態に係る、図３に示すシグナリングプロセスにおいて使用可能なＰＵＣＣＨの設定に対する情報の要素の内容を示す第１の例である。第１の例では、ＲＲＣメッセージのコンテンツは、ＡＳＮ．１（Ａｂｓｔｒａｃｔ  Ｓｙｎｔａｘ  Ｎｏｔａｔｉｏｎ  Ｏｎｅ）を使用して、メッセージ構造を指定する。図４に示すように、上記ＰＵＣＣＨの設定は、ＲＲＣシグナリングによって、ＣＣ固有（ＣＣスペシフィック）に（コンポーネントキャリアにおいて固有に）示され得る。例えば、ＰＵＣＣＨを設定するためのＲＲＣシグナリングにおいて、情報の要素には、上記コンポーネントキャリアインデックス（ＣＣインデックスと呼称される）のフィールドと、１つのリソースリストフィールド（ＰＵＣＣＨ−ＡＮ−リストと呼称される）が含まれる。
【００７３】
例えば、ＣＣインデックスの値は、１から５の整数値をとる変数である（この整数値は上記コンポーネントキャリアインデックスを表わしている）。例えば、ＣＣインデックスは１に等しく、これは、このＰＵＣＣＨを設定するためのＲＲＣシグナリングが、第１コンポーネントキャリアのためのＰＵＣＣＨの設定として使用されることを意味している。ここでは、コンポーネントキャリアインデックスとコンポーネントキャリアとの間のリンクは、ブロードキャスト情報（例えば、ＳＩＢ）によって、セル固有に構成され得る。
【００７４】
また、コンポーネントキャリアインデックスとコンポーネントキャリアとの間のリンクは、専用のシグナリング（ｄｅｄｉｃａｔｅｄシグナリング、例えば、ＲＲＣシグナリング）によって、ＵＥ固有に設定され得る。ＰＵＣＣＨ−ＡＮ−リストは、４つのＰＵＣＣＨリソースの候補の位置を示す、整数値をとる４つの変数からなる配列である。
【００７５】
なお、ＰＵＣＣＨリソースの位置を示す上記整数値をとる変数は、０から２０４７に設定可能である。これは、上記システムが、最大で２０４８個の互いに異なるＰＵＣＣＨリソースの位置を、プライマリＵＬ  ＣＣ上に設定できることを意味している。ここでは、一例を示すにとどめるが、言うまでもなく、最大値は現実のシステム設計にあわせて設定可能である。
【００７６】
図３のステップ３０１において、基地局１００によって、ＭＡＣシグナリングを介して１つの下りリンクのコンポーネントキャリアが起動された後に、図４に示すような情報を含むＲＲＣシグナリングが、ユーザ装置２００へ送信される。上記ＣＣインデックスは、新たに起動された下りリンクのコンポーネントキャリアを示し、上記ＰＵＣＣＨ−ＡＮ−リストは、この新たに起動された下りリンクのコンポーネントキャリアに対して、プライマリＵＬ  ＣＣ上で、利用可能な４つのＰＵＣＣＨリソースを示す。
【００７７】
図５は、本発明の一実施形態に係る、図３に示すシグナリングプロセスにおいて使用可能な別のＰＵＣＣＨの設定に対する情報の要素の内容を示す第２の例である。第２の例でも、ＲＲＣメッセージのコンテンツは、ＡＳＮ．１を使用して、メッセージ構造を指定する。図５に示すように、上記ＰＵＣＣＨの設定は、ＲＲＣシグナリングによって、設定された全ての下りリンクのコンポーネントキャリアについて、１回示され得る。例えば、ＰＵＣＣＨを設定するためのＲＲＣシグナリングにおける情報の要素は、４つのリソースリストフィールド（ＰＵＣＣＨ−ＡＮ−リスト１、ＰＵＣＣＨ−ＡＮ−リスト２、ＰＵＣＣＨ−ＡＮ−リスト３、および、ＰＵＣＣＨ−ＡＮ−リスト４と呼称される）を含む。
【００７８】
ＰＵＣＣＨ−ＡＮ−ＬｉｓｔＸ（Ｘ＝１，．．．，４）は、４つのＰＵＣＣＨリソースの候補の位置を示す、整数値をとる４つの変数からなる配列である。ＵＥは、最大で４つの非プライマリＤＬ  ＣＣが設定され得る。ＰＵＣＣＨ−ＡＮ−ＬｉｓｔＸは、第Ｘ番目の非プライマリＤＬ  ＣＣに対応する。ここでは、インデックス値Ｘと非プライマリコンポーネントキャリアとの間のリンクは、ブロードキャスト情報（例えば、ＳＩＢ）によって、セル固有に設定され得る。また、インデックスと非プライマリコンポーネントキャリアとの間のリンクは、専用シグナリング（ｄｅｄｉｃａｔｅｄシグナリング、例えば、ＲＲＣシグナリング）によって、ＵＥ固有に設定され得る。
【００７９】
例えば、このＲＲＣシグナリングは、プライマリ下りリンクのコンポーネントキャリア上で、ユーザ装置へ１回送信可能である。ＰＵＣＣＨ−ＡＮ−リストと起動されたコンポーネントキャリアとの間の暗示的なリンクは、容易に作製可能である。図３のステップ３０１において、基地局によって、ＭＡＣシグナリングを介して、１つの下りリンクのコンポーネントキャリアが起動された後に、１つの専用のＰＵＣＣＨ−ＡＮ−リストが、上記新たに起動された下りリンクのコンポーネントキャリアのための、プライマリ上りリンクのコンポーネントキャリア上で利用可能な４つのＰＵＣＣＨリソースを示していると推定することができる。
【００８０】
図３の説明に示すように、基地局は、ＲＲＣシグナリングを使用することによって、ＰＵＣＣＨリソースのためのパラメータを、ユーザ装置に対して設定することができる。次に、基地局は、ＰＵＣＣＨリソースインデックスを、ＰＤＣＣＨを介して、ユーザ装置へ送信することによって、ＰＵＣＣＨリソースを示すことができる。基地局は、ユーザ装置に対して、ＰＵＣＣＨリソースリストからＰＵＣＣＨリソースを示してもよい。基地局は、上記ＰＵＣＣＨリソースインデックスをユーザ装置へ送信してもよい。
【００８１】
本発明では、基地局は、ＰＵＣＣＨリソースインデックスを送信するために、ＤＣＩフォーマット１Ａおよび／またはＤＣＩフォーマット１Ｃを「再利用」する。
【００８２】
原則として、本発明におけるＰＵＣＣＨリソースを割り当てるための通信方法によれば、基地局１００は、ＤＣＩフォーマットをユーザ装置２００へ送信する（ＤＣＩフォーマットを基地局１００からユーザ装置２００へ通知する）。
【００８３】
このＤＣＩフォーマットを受信した後に、ユーザ装置２００は、１つまたは複数の第１の所定のフィールドが、所定のモードに基づいてセット（設定）されているかどうかを決定する。第１の所定のフィールドが、所定のモードに基づいてセットされていれば、ユーザ装置２００は、受信したＤＣＩフォーマットに含まれる１つまたは複数の第２の所定のフィールドが、ＰＵＣＣＨリソースの割り当てに使用されていることを認識（確認）する。従って、第２の所定のフィールドに基づいて、ＰＵＣＣＨリソースを設定する（つまり、ＰＵＣＣＨリソースをセットする）。
＜第１の実施形態＞
図６は、本発明の第１の実施形態に係る、ＤＣＩフォーマット１Ａにおいて送信されるＰＵＣＣＨリソースインデックスの概略的な例である。本実施形態では、基地局は、ＤＣＩフォーマット１Ａにおける所定の／指定のフィールドに、所定の／指定の値をセットすることができる。図６では、一例として、基地局は、ローカル型／分散型ＶＲＢ割り当て用フラグのフィールドに「０」をセットしている。また、一例として、基地局は、リソースブロック割り当てのフィールドに「１」をセットしている。さらに、一例として、基地局は、ブランクフィールドに「１」をセットしている。このブランクフィールドは、図２に示すＤＣＩフォーマット１ＡにおけるプリアンブルインデックスフィールドおよびＰＲＡＣＨマスクインデックスフィールドであると考えてよい。本実施形態では、基地局は、１つの所定のフィールド内の全てのビットを、同じ所定の値にセットする。
【００８４】
具体的には、所定のフィールドが、所定の値にセットされる場合には、ＤＣＩフォーマットが、ＰＵＣＣＨリソースを示すことが、基地局１００とユーザ装置２００との間であらかじめ規定される。図６では、一例として、ローカル型／分散型ＶＲＢ割り当て用フラグのフィールドが、複数の第１の所定のフィールドのうちの１つとして規定されている。また、リソースブロック割り当てのフィールドが、複数の第１の所定のフィールドのうちの１つとして規定されている。また、上記ブランクフィールドが、複数の第１の所定のフィールドのうちの１つとして規定されている。これらの第１の所定のフィールドが、所定の値（例えば、「０」または「１」）にセットされている場合、上記基地局１００およびユーザ装置２００は、ＰＵＣＣＨリソースを示すためのＤＣＩフォーマット１Ａが使用されることを認識する。
【００８５】
本実施形態では、上述のように、ローカル型／分散型ＶＲＢ割り当て用フラグのフィールドおよびリソースブロック割り当てのフィールドが、ＰＤＣＣＨコマンドによって開始されるランダムアクセス手順のための使用のために指定される。具体的には、基地局およびユーザ装置は、ＰＵＣＣＨリソースが示されてからＰＤＣＣＨコマンドによってランダムアクセス手順が開始するまで、同一のフィールドを、所定の／指定のフィールド（第１の所定のフィールド）として使用してもよい。
【００８６】
別の場合には、複数のフィールドを、ＰＵＣＣＨリソースの指示、または、ＰＤＣＣＨコマンド識別によって開始されるランダムアクセス手順のためのフラグとして留保可能である。例えば、基地局およびユーザ装置は、ＰＵＣＣＨリソースの指示、または、ＰＤＣＣＨコマンドによって開始されるランダムアクセス手順を認識するためのパディングビットフィールドを使用してよい（例えば、全てのパディングビットフィールドを「１」にセットすればＰＵＣＣＨリソースの指示であり、全てのパディングビットフィールドを「０」にセットすればＰＤＣＣＨコマンドによって開始されるランダムアクセス手順の指示である）。
【００８７】
具体的には、基地局およびユーザ装置は、第１の所定のフィールドの値に基づいて、第２の所定のフィールドの解釈を変更する。ここで、図６では、第２の所定のフィールドは、ローカル型／分散型ＶＲＢ割り当て用フラグのフィールド、リソースブロック割り当てのフィールド、および、ブランクフィールド以外のフィールドである。また、第１の所定のフィールドは、ローカル型／分散型ＶＲＢ割り当て用フラグのフィールド、リソースブロック割り当てのフィールド、および、ブランクフィールドである。
【００８８】
基地局は、上記第１の所定のフィールドが、所定の値にセットされているＤＣＩフォーマットを送信することによって、設定したＰＵＣＣＨリソースリストの中のＰＵＣＣＨリソースをユーザ装置に対して示す。この場合、一例として、ＰＵＣＣＨリソースインデックス（第２の所定のフィールド）は、表１に示す下記の２ビットのフィールド（ＰＵＣＣＨリソースインデックスフィールド）によって表わされる。
【００８９】
【表１】
0005635623.tif 000004
【００９０】
詳細に記すと、上記ＤＣＩフォーマット１Ａにおいて、ローカル型／分散型ＶＲＢフィールド中の全てのビットが「０」にセットされ、リソースブロック割り当て中の全てのビットが「１」にセットされ、かつ、ブランクフィールド中の全てのビットが「１」にセットされた第１の所定のフィールドを含む場合には、このＤＣＩフォーマット１Ａの中のＰＵＣＣＨリソースインデックスフィールド（第２の所定のフィールド）は、ＰＵＣＣＨリソースの割り当てを示す。
【００９１】
ＤＣＩフォーマット１Ａにおいて、ローカル型／分散型ＶＲＢフィールド中の全てのビットが「０」にセットされ、リソースブロック割り当て中の全てのビットが「１」にセットされているが、ブランクフィールド（プリアンブルインデックスフィールド、および、ＰＲＡＣＨマスクインデックスフィールド）中のビットが全て「１」にセットされているわけではない場合には、ＤＣＩフォーマット１Ａは、ＰＤＣＣＨコマンドによって開始されるランダムアクセス手順を示していると認識される。また、このような場合には、第１の所定のフィールドを使用して、ランダムアクセスパラメータ（例えば、プリアンブルインデックス、および、ＰＲＡＣＨマスクインデックス）が送信される。
【００９２】
ユーザ装置２００は、ＤＣＩフォーマット１Ａを介して、ＰＵＣＣＨリソースインデックスを受信した後に、ＰＵＣＣＨリソースインデックスに基づいて、プライマリ上りリンクのコンポーネントキャリア上でＰＵＣＣＨリソースを設定する。ユーザ装置２００は、上記ＲＲＣシグナリングを使用することによって、ＰＵＣＣＨリソースを設定するためのパラメータによって設定されるＰＵＣＣＨリソースリストの中から、ＰＵＣＣＨリソースを設定する。
【００９３】
ユーザ装置側では、ユーザ装置２００は、Ｃ−ＲＮＴＩを利用してＤＣＩフォーマット１Ａをブラインドデコードし、そして、ＤＣＩフォーマット１Ａの中の詳細なフィールドの値を、異なる規定によって識別（認識）する。例えば、ユーザ装置は、１つのＰＤＳＣＨコードワードのスケジューリングを、ローカル型／分散型ＶＲＢ割り当て用フラグのフィールドおよびリソースブロック割り当てのフィールドを介して、別の規定を用いて識別する。
【００９４】
また、ユーザ装置は、ローカル型／分散型ＶＲＢ割り当て用フラグのフィールド、リソースブロック割り当てのフィールド、および、ブランクフィールドに基づいて、ＰＤＣＣＨコマンドによって開始されるランダムアクセス手順を識別する。また、ユーザ装置は、ブランクフィールドまたはパディングビットフィールドに基づいて、ＰＵＣＣＨリソースインデックスの指示を識別する。
【００９５】
また、ユーザ装置は、基地局によって送信されたＤＣＩフォーマットによって示されるＰＵＣＣＨリソース上で、ＵＣＩ（ＨＡＲＱ−ＡＣＫ／ＮＡＣＫ、または／および、ＣＱＩ、および／または、スケジューリングリクエスト）をフィードバックする。
【００９６】
図６に示す本実施形態では、第１の所定のフィールドが、所定の値にセットされている場合、つまり、第１の所定のフィールドが、所定のモードに基づいてセットされている場合、ＰＵＣＣＨリソースの割り当て、または、ＰＤＣＣＨコマンドによって開始されるランダムアクセス手順を示すために、ＤＣＩフォーマット１Ａが再利用される。
【００９７】
本実施形態では、所定のモードとは、それぞれの第１の所定のフィールドの中の全てのビットが、同じ値（例えば、０または１）にセットされることを意味する。ただし、図６は説明のための一例にすぎず、上記所定のモードは、図６に示す例に限定されるものではない。
【００９８】
例えば、第１の所定のフィールド（例えば、ブランクフィールド）が８ビットを含む場合、上記所定のモードは、第１の所定のフィールドのビットの前半分（４ビット）が所定の値（例えば、同じ値１または０、または、固定された数字の組み合わせ（例えば、０１００））にセットされると規定され、第１の所定のフィールドのビットの後ろ半分がランダムな値にセットされてもよい。また、所定のモードは、第１の所定のフィールドのビットの後ろ半分が、所定の値（例えば、同じ値１または０、または、数字の組み合わせ）にセットされると規定され、第１の所定のフィールドのビットの前半分がランダムな値にセットされてもよい。
【００９９】
また、上記所定のモードは、第１の所定のフィールドのビットの一部が所定の値（同じ値または数字の組み合わせ）にセットされると規定されてもよい。さらに、所定のモードは、第１の所定のフィールドのビットのうちの所定の一部のビットが所定の値（同じ値または数字の組み合わせ）にセットされると規定されてもよい。さらに、所定のモードは、第１の所定のフィールド中の所定の位置にあるビットが所定の値にセットされると規定されてもよい。さらに、所定のモードは、第１の所定のフィールド中の所定の位置にあるビットのうちの所定の一部のビットが所定の値（同じ値または数字の組み合わせ）にセットされると規定されてもよい。さらに、所定のモードは、第１の所定のフィールドのビットが所定のパターン（例えば、００１１００１１または１１００１１００）にセットされると規定されてもよい。
【０１００】
上記基地局およびユーザ装置が、各種な形態を取り得る所定のモードを予め規定できることは、当業者であれば理解できるであろう。第１の所定のフィールド（フィールド）が、所定のモードに基づいてセットされていれば、ユーザ装置は、第２の所定のフィールド（フィールド）が、ＰＵＣＣＨリソースの割り当てのために使用されていると認識する。第１の実施形態におけるＤＣＩフォーマットが、３つのフィールドを第１の所定のフィールドとして使用したが、第１の所定のフィールドとして別の個数のフィールドが使用されてもかまわないことは、当業者であれば理解できるであろう。
【０１０１】
図６に示すＤＣＩフォーマットの規定を、キャリアアグリゲーション可能なシステムに導入すれば、ＤＣＩフォーマットにおいてＰＵＣＣＨリソースインデックスを示す１つのフィールドを常に留保することが回避できる。第１の所定の／指定のフィールドを、上記専用の値にセットすることによって、ＤＣＩフォーマット１Ａの異なる規定が、１回の単一のブラインドデコードの手順の間に容易に識別できるようになる。一方では、本発明に係る方法は、ブラインドデコードの回数を増加させることが一切ない。
＜第２の実施形態＞
図７は、本発明の第２の実施形態に係る、ＤＣＩフォーマット１Ｘにおいて送信されるＰＵＣＣＨリソースインデックスの概略的な例である。ＤＣＩフォーマット１Ｘのサイズは、図２に示すＤＣＩフォーマット１Ｃのサイズと同じである。ＤＣＩフォーマット１Ｘ中に残存するパディングビットは全て０に設定される。本実施形態では、基地局は、ＤＣＩフォーマット１Ｘの中の所定のフィールドに所定の値を設定する。図７では、一例として、基地局が、残存するパディングビットフィールド（第１の所定のフィールド）に「０」をセットしている。
【０１０２】
具体的には、第１の所定のフィールドが、所定の値にセットされている場合に、ＤＣＩフォーマットはＰＵＣＣＨリソースを示すことが、基地局とユーザ装置との間で予め規定される。図７では、一例として、残存するパディングビットのフィールドが、第１の所定のフィールドとして規定されている。残存するパディングビットフィールド（第１の所定のフィールド）が、所定の値（例えば、「０」）にセットされている場合、基地局およびユーザ装置は、ＰＵＣＣＨリソースを示すためにＤＣＩフォーマット１Ｘが使用されていることを認識する。
【０１０３】
具体的には、基地局およびユーザ装置は、第１の所定のフィールドの値に基づいて、第２の所定のフィールドの解釈を変更する。ここで、図７では、第２の所定のフィールドは、ＰＵＣＣＨリソースインデックスインジケータフィールドであり、第１の所定のフィールドは残存するパディングビットのフィールドである。
【０１０４】
基地局は、第１の所定のフィールドが、所定の値にセットされたＤＣＩフォーマットを送信することによって、設定したＰＵＣＣＨリソースリストの中からＰＵＣＣＨリソースをユーザ装置に対して示す。この場合、一例として、上記ＰＵＣＣＨリソースインデックスは、上記の表１に示す２ビットのフィールド（第２の所定のフィールド）によって表わされる。
【０１０５】
ユーザ装置２００は、ＤＣＩフォーマット１Ｘを介して、ＰＵＣＣＨリソースインデックスを受信した後に、ＰＵＣＣＨリソースインデックスに基づいて、プライマリ上りリンクのコンポーネントキャリア上でＰＵＣＣＨリソースを設定する。ユーザ装置は、上記ＲＲＣシグナリングを使用することによって、ＰＵＣＣＨリソースを設定するためのパラメータによって設定されるＰＵＣＣＨリソースリストの中から、ＰＵＣＣＨリソースを設定する。
【０１０６】
具体的には、ユーザ装置は、Ｃ−ＲＮＴＩを利用してＤＣＩフォーマット１Ｘ／１Ｃをブラインドデコードし、そして、ＤＣＩフォーマット１Ｘ／１Ｃの中の詳細なフィールドの値を、異なる規定によって識別（認識）する。例えば、ユーザ装置は、残存するパディングビットフィールドを介して、ＤＣＩフォーマット１ＣかＤＣＩフォーマット１Ｘを識別する。
【０１０７】
詳細に記すと、上記ＤＣＩフォーマット１Ｘ／ＤＣＩフォーマット１Ｃが、全てのビットが「０」にセットされた第１の所定のフィールド（残存するパディングビットフィールド）を含む場合には、ＤＣＩフォーマット１Ｘの中のＰＵＣＣＨリソースインデックスインジケータフィールド（第２の所定のフィールド）は、ＰＵＣＣＨリソースの割り当てを示すために使用される。第１の所定のフィールド（残存するパディングビットフィールド）の中のビットが全て「０」にセットされているわけではない場合には、ＤＣＩフォーマットは、１つのＰＤＳＣＨコードワードの非常にコンパクトなスケジューリングのためのＤＣＩフォーマット１Ｃであると認識され、第１のフィールドがＰＤＳＣＨをスケジューリングするために使用される。
【０１０８】
ＰＵＣＣＨリソースインデックスを示す場合、ユーザ装置は、基地局によって示されるＰＵＣＣＨリソース上で、ＵＣＩ（ＨＡＲＱ−ＡＣＫ／ＮＡＣＫ、または／および、ＣＱＩ、および／または、スケジューリングリクエスト）をフィードバックする。
【０１０９】
ＤＣＩフォーマット１Ｘは、ＤＣＩフォーマット１Ｃと同じサイズである。その結果、ＤＣＩフォーマット１Ｘは、ＤＣＩフォーマット１Ｃに比べてペイロードのサイズが小さい。ＤＣＩフォーマット１Ｘを用いてＰＵＣＣＨリソースインデックスを示すことによって、ＰＵＣＣＨを送信するために、貴重な物理リソースを節約できる。
【０１１０】
本実施形態では、第１の所定のフィールド（残存するパディングビットフィールド）の中のビットは、所定のモードに基づいてセットされる、つまり、全てのビットが同じ値「０」にセットされる。ただし、図７は説明するための一例にすぎず、上記所定のモードは図７に示す例に限定されるものではない。
【０１１１】
第１の実施形態に記載するように、上記所定のモードは、第１の所定のフィールドのビットの前半分（４ビット）が所定の値（例えば、同じ値１または０、または、固定された数字の組み合わせ（例えば、０１００））にセットされると規定され、第１の所定のフィールドのビットの後ろ半分がランダムな値などにセットされてもよい。あるいは、所定のモードは、第１の所定のフィールドのビットの一部が所定の値にセットされると規定されてもよい。あるいは、所定のモードは、第１の所定のフィールド中の所定の位置にあるビットの一部が所定の値にセットされると規定されてもよい。
＜第３の実施形態＞
図３において説明したように、基地局は、ユーザ装置に対して、上記ＲＲＣシグナリングを使用することによって、ＰＵＣＣＨリソースのためのパラメータを設定することができる。そして、基地局は、ＰＤＣＣＨを介して、上記ＰＵＣＣＨリソースインデックスをユーザ装置へ送信することによって、上記ＰＵＣＣＨリソースを示すことができる。基地局は、ＰＵＣＣＨリソースリストの中からＰＵＣＣＨリソースを示すためのＰＵＣＣＨリソースインデックスインジケータを、ユーザ装置へ送信することができる。
【０１１２】
本実施形態では、図３のステップ３０３において、現在存在する、ＤＣＩフォーマット（例えば、ＤＣＩフォーマット１Ａ（コンパクトなＤＣＩフォーマット１Ａ））の中のＰＵＣＣＨに対するＴＰＣコマンドフィールドを、ＰＵＣＣＨリソースインデックスインジケータを送信するために再利用することができる。
【０１１３】
図８は、本発明の第３の実施形態に係る、ＤＣＩフォーマット１Ａにおいて送信されるＰＵＣＣＨインデックスインジケータの概略的な例である。図８に示すように、ＰＵＣＣＨインデックスを示すためのＤＣＩフォーマット１Ａは、非プライマリコンポーネントキャリアにおいてスケジューリングされる１つのＰＤＳＣＨコードワードを、コンパクトスケジューリングするためにのみ使用可能である。
【０１１４】
すなわち、基地局は、ＰＵＣＣＨインデックスを示すためのＤＣＩフォーマット１Ａを、非プライマリコンポーネントキャリアにおけるＰＤＳＣＨをスケジューリングする場合にのみ使用することができる。このＤＣＩフォーマットでは、ＰＵＣＣＨに対するＴＰＣコマンドフィールドが、ＰＵＣＣＨリソースインデックスインジケータを送信するために再利用される。具体的には、ユーザ装置は、上記ＤＣＩフォーマットが、プライマリコンポーネントキャリアのためのものであるのか、または、非プライマリコンポーネントキャリアのためのものであるのかを認識することができる。プライマリ下りリンクのコンポーネントキャリアが、ＤＣＩフォーマット１Ａによってスケジューリングされる（例えば、プライマリ下りリンクのコンポーネントキャリア上でＰＤＳＣＨが割り当てられる）場合（つまり、第１の所定のフィールド（キャリアインジケータフィールド）がプライマリ下りリンクのコンポーネントキャリアを示す場合）、ユーザ装置は、上記フィールド（第２の所定のフィールド）をＰＵＣＣＨに対するＴＰＣコマンドフィールドとして解釈する。
【０１１５】
また、非プライマリ下りリンクのコンポーネントキャリアが、ＤＣＩフォーマット１Ａによってスケジューリングされている（例えば、非プライマリ下りリンクのコンポーネントキャリア上でＰＤＳＣＨが割り当てられている）場合、ユーザ装置は、上記フィールド（第２の所定のフィールド）をＰＵＣＣＨリソースインデックスインジケータとして解釈する。
【０１１６】
ユーザ装置が、上記プライマリ下りリンクのコンポーネントキャリア上でのみスケジューリングされている場合、上記ＰＵＣＣＨリソースは、ＰＤＣＣＨのＣＣＥインデックスから暗示的に指示され、これは、ＬＴＥ  Ｒｅｌ−８におけるＰＵＣＣＨリソースの指示の方法と完全な互換性を有する。これとは異なり、ユーザ装置が、少なくとも１つの非プライマリ下りリンクのコンポーネントキャリア上でスケジューリングされている場合、上記プライマリ上りリンクのコンポーネントキャリア上の、対応するＰＵＣＣＨリソースは、該非プライマリコンポーネントキャリアにおけるＰＤＳＣＨを割り当てるためのＤＣＩフォーマットに含まれるＰＵＣＣＨリソースインデックスインジケータによって明示的に示される。
【０１１７】
ユーザ装置は、複数の非プライマリ下りリンク用コンポーネントキャリア上で、１サブフレームにおいてスケジューリングされる（つまり、複数の非プライマリ下りリンクのコンポーネントキャリア上で複数のＰＤＳＣＨが割り当てられる）場合は、各非プライマリコンポーネントキャリア上でＰＤＳＣＨを割り当てるためのＤＣＩフォーマットに含まれるＰＵＣＣＨリソースインデックスインジケータは、同じＰＵＣＣＨリソースを示すことができる。
【０１１８】
このシナリオでは、プライマリ上りリンクのコンポーネントキャリア上のＰＵＣＣＨリソースは、いずれの非プライマリコンポーネントキャリアにおけるＰＤＳＣＨを割り当てるためのＤＣＩフォーマットに含まれるＰＵＣＣＨリソースインデックスインジケータを介して、正しく示される。これは、たとえ、複数のコンポーネントキャリアにおいてＰＤＣＣＨが正しく受信されなくても、ユーザ装置は、ＵＣＩ（ＨＡＲＱ−ＡＣＫ／ＮＡＣＫ、または／および、ＣＱＩ、および／または、スケジューリングリクエスト）をフィードバックするための、正しいＰＵＣＣＨリソースを得ることができることを意味する。
【０１１９】
この場合、一例として、上記ＰＵＣＣＨリソースインデックスインジケータは、表２に示す下記の２ビットのフィールドによって表わされる。
【０１２０】
【表２】
0005635623.tif 000005
【０１２１】
詳細に記すと、図８に示すように、プライマリＣＣが「０００」と表わされ、非プライマリＣＣが「００１〜００４」のうちの１つとして表わされる場合に、上記第１の所定のフィールド（キャリアインジケータフィールド）が、「０００」にセットされている場合、ユーザ装置は、第２の所定のフィールド（ＰＵＣＣＨに対するＴＰＣコマンドフィールド）が、ＰＵＣＣＨに対するＴＰＣコマンドフィールドとして使用されると認識する。また、第１の所定のフィールド（キャリアインジケータフィールド）が、例えば「００１」にセットされている場合（つまり、ビットが、所定のモードに基づいてセットされていれば）、ユーザ装置は、第２の所定のフィールド（ＰＵＣＣＨリソースインデックスフィールド）が、ＰＵＣＣＨリソースインデックスインジケータとして使用されると認識する。
【０１２２】
ＰＵＣＣＨリソースインデックスインジケータを、ＤＣＩフォーマット１Ａを介して受信した後に、ユーザ装置は、ＰＵＣＣＨリソースを、ＰＵＣＣＨリソースインデックスインジケータに基づいて、プライマリ上りリンクのコンポーネントキャリアに設定する。ユーザ装置は、上記ＲＲＣシグナリングを使用することによって、ＰＵＣＣＨリソースを設定するためのパラメータとして設定されたＰＵＣＣＨリソースリストの中から、ＰＵＣＣＨリソースを設定する。
【０１２３】
具体的には、ユーザ装置は、Ｃ−ＲＮＴＩを利用してＤＣＩフォーマット１Ａをブラインドデコードし、そして、ＤＣＩフォーマット１Ａの中の詳細なフィールドの値を、異なる規定によって識別（認識）する。例えば、ユーザ装置は、基地局が、スケジューリングを行う上記コンポーネントキャリアを示すためのフィールド（キャリアインジケータフィールド〜第１の所定のフィールド）を介して、ＤＣＩフォーマット１Ａによるプライマリコンポーネントキャリアにおけるスケジューリングか、ＤＣＩフォーマット１Ａによる非プライマリコンポーネントキャリアにおけるスケジューリングかを識別する。
【０１２４】
その後、ユーザ装置は、基地局によって示されたＰＵＣＣＨリソースを用いて、ＵＣＩ（ＨＡＲＱ−ＡＣＫ／ＮＡＣＫ、または／および、ＣＱＩ、および／または、スケジューリングリクエスト）をフィードバックする。
【０１２５】
ここで、ユーザ装置が、プライマリ下りリンクのコンポーネントキャリア上で、ＰＵＣＣＨに対するＴＰＣコマンドを受信しない（例えば、プライマリ下りリンクのコンポーネントキャリアにおいて、ＰＤＳＣＨの割り当てが行われないまたはＰＤＣＣＨの誤検出が行われた）場合に備えて、あるアクションを予め決めておくべきである。１つの例としては、ユーザ装置が、現在スケジューリングされているサブフレームに対して、最も新しくスケジュールされたサブフレームで受信されたＰＵＣＣＨに対するＴＰＣコマンドを再利用してもよい。もう１つの例としては、ＰＵＣＣＨに対するＴＰＣコマンドを、現在スケジューリングされているサブフレームで、デフォルト値（例えば、現在の電力レベルを変化させないで維持した値）にセットすることである。
【０１２６】
図８の例に示すように、ＰＵＣＣＨリソースの割り当てを示す場合、上記第１の所定のフィールド（キャリアインジケータフィールド）は、所定のモードに基づいてセットされる、つまり、キャリアインジケータフィールドのビットは、非プライマリコンポーネントキャリアに対応するように設定され、任意の非プライマリコンポーネントキャリアを示す所定の値にセットされる。
【０１２７】
図８に示すＤＣＩフォーマットは、ＰＤＳＣＨのリソースブロック割り当てとＰＵＣＣＨリソースインデックスインジケータとを、１回のＰＤＣＣＨでのシグナリングで送信することができる。このようなＰＵＣＣＨの割り当てによれば、ＰＤＳＣＨスケジューリングされるサブフレームごとに異なるＰＵＣＣＨリソースを指定することができ、ＲＲＣシグナリングによって送信されたＰＵＣＣＨリソースの候補の中から、動的にＰＵＣＣＨリソースの割り当てを実現することができる。基地局による半静的なＰＵＣＣＨリソースの割り当てに比べると、キャリアアグリゲーションの場合に柔軟な割り当てを行うことができる。
【０１２８】
本発明によれば、基地局は、キャリアアグリゲーションの場合に、ＰＵＣＣＨでの送信を行うために柔軟なリソースの割り当てを行うことができる。したがって、基地局は、システムをさらに複雑にせずに、効率的な送信制御（スケジューリング）を行うことができる。
＜移動通信システム＞
以下の記載では、本発明に係る移動通信システムについて説明する。本移動通信システムは基地局とユーザ装置とを含み、この基地局およびユーザ装置は、上記の任意の実施形態またはその変形例に記載のＰＵＣＣＨリソースを割り当てるための上記の方法に従って、互いに通信してもよい。
【０１２９】
図９は、本発明に係る基地局の概略的な構成例を示す機能ブロック図である。
【０１３０】
図９に示すように、基地局１００は、データ制御ユニット１、変調符号化ユニット２、マッピングユニット３、逆高速フーリエ変換（“ＩＦＦＴ”；  ｉｎｖｅｒｓｅ  ｆａｓｔ  Ｆｏｕｒｉｅｒ  ｔｒａｎｓｆｏｒｍ）ユニット４、無線送信ユニット５、無線受信ユニット６、高速フーリエ変換（“ＦＦＴ”；  ｆａｓｔ  Ｆｏｕｒｉｅｒ  ｔｒａｎｓｆｏｒｍ）ユニット７、復調復号化ユニット８、データ抽出ユニット９、送信情報制御ユニット１０、および、アンテナ１１を備えている。送信情報制御ユニット１０は、スケジューラーユニット２１、変調・符号化制御ユニット２２、および、周波数選択性スケジューラーユニット２３を含む。
【０１３１】
基地局１００では、ユーザ装置へ送信される送信データおよび制御データがデータ制御ユニット１へ入力され、これらのデータは、送信情報制御ユニット１０からの命令にしたがって順にユーザ装置へ送信される。変調符号化ユニット２は、送信情報制御ユニット１０（変調・符号化制御ユニット２２）によって決定される変調方式および符号化レートに基づいて、データ制御ユニット１から出力される信号に対して変調処理または誤差修正符号化処理を実施し、データをマッピングユニット３へ出力する。マッピングユニット３は、送信情報制御ユニット１０（周波数選択性スケジューラーユニット２３）から出力される周波数選択性スケジューリング情報に基づいて、変調符号化ユニット２から出力されるデータに対して、各サブキャリア上でマッピングを行い、該データを逆高速フーリエ変換ユニット４へ出力する。
【０１３２】
逆高速フーリエ変換ユニット４は、マッピングユニット３から出力されるデータに対して逆高速フーリエ変換処理を実施し、このデータを時系列のベースバンドのデジタル信号へ変換し、信号を無線送信ユニット５へ出力する。無線送信ユニット５は、逆高速フーリエ変換ユニット４からの出力信号のデジタル／アナログ変換を実施し、変換後の信号を送信に適した周波数にアップコンバートし、この信号を、アンテナ１１を介して各ユーザ装置へ送信する。
【０１３３】
スケジューラーユニット２１は、例えば、各ユーザ装置が使用可能なリソース領域、断続的な送信受信周期、送信データチャネルのフォーマット、および、バッファステータスなどの制御情報に基づいて、下りリンクおよび上りリンクをスケジューリングする。変調・符号化制御ユニット２２は、各データに適用する変調方式および符号化レートを、ユーザ装置からの物理上りリンク制御チャネル上のチャネル品質情報フィードバックに基づいて決定する。周波数選択性スケジューラーユニット２３は、各データに適用する周波数選択性スケジューリングを処理を、ユーザ装置からのチャネル品質情報フィードバックに基づいて実行する。データ抽出ユニット９は、復調および復号化済みデータをユーザ用受信データと制御データとに分離し、データを上位の処理ユニットへ転送し、該データを送信情報制御ユニット２７へ出力する。
【０１３４】
図９に示すように、上記基地局の各種部材は互いに統合されてもよく、互いに独立したユニットとして実装されてもよい。
【０１３５】
図９に示す通信システムによれば、基地局１００（送信情報制御ユニット１０）は、ＤＣＩフォーマットをユーザ装置２００へ送信する。ＰＵＣＣＨリソースの割り当てを示す場合、基地局１００内の送信情報制御ユニット１０（ＤＣＩ再利用ユニット）が、所定のモードに基づいて、ＤＣＩフォーマットにおいて第１の所定のフィールド（または、第１の所定のフィールド）をセット（設定）し、第２の所定のフィールドにおいてＰＵＣＣＨリソースの割り当てのための情報（ＰＵＣＣＨリソースインデックス）をセットする。下りリンクのＤＣＩフォーマットを送信する場合、送信情報制御ユニット１０は、当該技術分野において周知のように、ＤＣＩフォーマットにおいてフィールドをセットする。ＤＣＩフォーマットが生成された後に、ＤＣＩフォーマットが生成されたことが、アンテナ１１（通知ユニット）を介して、ユーザ装置２００へ通知される。
【０１３６】
図１０は、本発明に係るユーザ装置の概略的な構成例を示す機能ブロック図である。
【０１３７】
図１０に示すように、ユーザ装置２００は、データ制御ユニット４１、変調符号化ユニット４２、マッピングユニット４３、逆高速フーリエ変換（ＩＦＦＴ）ユニット４４、無線送信ユニット４５、アンテナ４６、ＰＵＣＣＨ制御ユニット４７、無線受信ユニット４８、高速フーリエ変換（ＦＦＴ）ユニット４９、復調復号化ユニット５０、および、データ抽出ユニット５１を備えている。ＰＵＣＣＨ制御ユニット４７は、ＰＵＣＣＨリソース設定ユニット６２およびＰＵＣＣＨマッピングユニット６１を備えている。
【０１３８】
無線受信ユニット４８、ＦＦＴユニット４９、復調復号化ユニット５０、データ抽出ユニット５１、および、ＰＵＣＣＨ制御ユニット４７は、受信ユニット８０を全体として構成する。また、データ制御ユニット４１、変調符号化ユニット４２、マッピングユニット４３、逆高速フーリエ変換（ＩＦＦＴ）ユニット４４、および、無線送信ユニット４５は、送信ユニット９０を全体として構成する。
【０１３９】
図１０に示すユーザ装置２００では、基地局１００へ送信される送信データおよび制御データがデータ制御ユニット４１へ入力され、これらのデータは順に基地局１００へ送信される。変調符号化ユニット４２は、データ制御ユニット４１から出力される信号に対して変調処理または誤差修正符号化処理を実施し、データをマッピングユニット４３へ出力する。マッピングユニット４３は、変調符号化ユニット４２から出力されるデータに対して、各サブキャリア上でマッピングを行い、該データを逆高速フーリエ変換ユニット４４へ出力する。
【０１４０】
逆高速フーリエ変換ユニット４４は、マッピングユニット４３から出力されるシンボル列に対して逆高速フーリエ変換処理を実施し、このシンボル列を時系列のベースバンドのデジタル信号へ変換し、信号を無線送信ユニット４５へ出力する。無線送信ユニット４５は、逆高速フーリエ変換ユニット４４からの出力信号に対してデジタル／アナログ変換を実施し、変換後の信号を送信に適した周波数にアップコンバートし、この信号を、アンテナ４６を介して基地局１００へ送信する。
【０１４１】
ＰＵＣＣＨリソース設定ユニット６２は、基地局１００から受信した設定シグナリング（ＲＲＣシグナリングを介したＰＵＣＣＨの設定パラメータ、および、ＰＤＣＣＨシグナリングを介したＰＵＣＣＨリソースインデックス）に基づいて、新たに起動した下りリンクのコンポーネントキャリアに対するＰＵＣＣＨリソースを設定する。ＰＵＣＣＨマッピングユニット６１は、ＨＡＲＱ−ＡＣＫ／ＮＡＣＫおよび／またはＣＱＩを、ＰＵＣＣＨリソース設定ユニット６２によって設定されたＰＵＣＣＨリソースへマッピングする。
【０１４２】
図１０に示すユーザ装置２００によれば、アンテナ４６（受信ユニット）が、ＤＣＩフォーマットを受信した後に、ＰＵＣＣＨ制御ユニット４７（判定ユニット）は、第１の所定のフィールド（または、第１の所定のフィールド）が、所定のモードに基づいてセット（設定）されているかどうかを分析および判定する。第１の所定のフィールドが、所定のモードに基づいてセットされていれば、ユーザ装置２００は、第２の所定のフィールド（または、第２の所定のフィールド）がＰＵＣＣＨリソースを割り当てるために使用されていると認識（確認）し、こうすることによって、ＰＵＣＣＨ制御ユニット（設定ユニット）４７は、第２の所定のフィールドに基づいてＰＵＣＣＨリソースをセット（設定）する。第１のフィールドが、所定のモードに基づいてセットされていなければ、ユーザ装置は、下りリンクにおいて、受信されたＤＣＩフォーマットが使用されると認識し、したがって、ＤＣＩフォーマットを当該技術分野において公知の所定の手順で処理し、例えば、下りリンクのリソースの割り当てが行われる。
【０１４３】
アンテナ４６は、物理上りリンク制御チャネル候補リソースリストに含まれるパラメータをも基地局１００から受信する。また、ＰＵＣＣＨ制御ユニット４７は、物理上りリンク制御チャネル候補リソースリストの中から、物理上りリンク制御チャネルリソースを設定する。
【０１４４】
図９に示す基地局および図１０に示すユーザ装置の別の代替例では、上記デバイス（ＢＳまたはＵＥ）を、プロセッサおよびメモリを含むように実現してもよい。
【０１４５】
このメモリは、読み出し専用メモリ（ＲＯＭ）およびランダムアクセスメモリ（ＲＡＭ）の両方を備えていてもよく、上記プロセッサに対して命令およびデータを提供する。このメモリの一部は、非揮発性ランダムアクセスメモリ（ＮＶＲＡＭ）をさらに備えていてもかまわない。
【０１４６】
メモリは、電子情報を保存することができる任意の電子部品を備えていてもよく、ＲＯＭ、ＲＡＭ、磁気ディスク記憶媒体、光学記憶媒体、フラッシュメモリ、プロセッサに含まれたボード上に実装されたメモリ、ＥＰＲＯＭメモリ、ＥＥＰＲＯＭメモリ、レジスタ、ハードディスク、取り外し可能なディスク、ＣＤ−ＲＯＭなどとして具現化されてもよい。メモリはプログラム命令やその他のタイプのデータを保存してもよい。本実施形態で開示した方法の一部または全てを実装して上記ＰＵＣＣＨリソースの割り当てを実現するために、プログラム命令を上記プロセッサによって実行してもよい。
【０１４７】
情報および信号は、さまざまな異なる技術および手法のいずれを用いて表わされてもよい。例えば、上述の説明の随所で言及したデータ、命令、コマンド、情報、信号などは、電圧、電流、電磁波、磁場もしくは磁性粒子、光学場もしくは光学性粒子、または、これらの任意の組み合わせによって表わされてもよい。
【０１４８】
本明細書で開示した本実施形態との関連において記載した上記の各種の例示としてのロジックブロック、ロジックモジュール、および、ロジック回路は、ここに記載した機能を実施できるように設計された、汎用プロセッサ、デジタル信号プロセッサ（ＤＳＰ）、特定用途向け集積回路（ＡＳＩＣ）、ＦＰＧＡ（Ｆｉｅｌｄ  Ｐｒｏｇｒａｍｍａｂｌｅ  Ｇａｔｅ  Ａｒｒａｙ）信号などのプログラム可能なロジック素子、非集積型ゲートまたはトランジスタロジック、非集積型ハードウェアコンポーネント、または、これらの任意の組み合わせを用いて実装または実施されればよい。
【０１４９】
汎用プロセッサの一例としてはマイクロプロセッサがあげられるが、他の例として、該汎用プロセッサは、任意の従来のプロセッサ、コントローラ、マイクロコントローラ、または、状態機械であってもよい。プロセッサは、演算装置の組み合わせ、例えば、ＤＳＰとマイクロプロセッサとの組み合わせ、複数のマイクロプロセッサの組み合わせ、１つ以上のマイクロプロセッサとＤＳＰコアとの組み合わせ、または、これに類似の任意の他の構成として実装されてもよい。別の実施形態では、実行されると上記各方法を基地局および／またはユーザ装置において実現するプログラムを保存するために、集積回路が採用されてもよい。さらに、この集積回路は、基地局およびユーザ装置にそれぞれ搭載されてもよい。
【０１５０】
本発明によれば、物理上りリンク制御チャネル（ＰＵＣＣＨ）リソースが割り当てられるユーザ装置に搭載される集積回路が提供されてもよい。この集積回路は、下りリンク制御情報フォーマットを基地局から受信するためのロジック素子（受信用ロジック素子）と、ＤＣＩフォーマットが、ＰＵＣＣＨリソースの割り当てのために使用されているかどうかを該ＤＣＩフォーマットにおける第１の所定のフィールドに基づいて判定するためのロジック素子（判定用ロジック素子）とを備える。ここで、第１の所定のフィールドが所定のモードに基づいてセットされていれば、上記判定ユニットは、ＤＣＩフォーマットが、ＰＵＣＣＨリソースを割り当てるために使用されていると判定する。上記集積回路は、上記判定ユニットが、ＤＣＩフォーマットが、ＰＵＣＣＨリソースの割り当てのために使用されているとした場合、該ＤＣＩフォーマットにおける第２の所定のフィールドに基づいてＰＵＣＣＨリソースをセットするためのロジック素子（設定用ロジック素子）をさらに備える。
【０１５１】
本発明によれば、物理上りリンク制御チャネル（ＰＵＣＣＨ）リソースをユーザ装置に割り当てるために基地局に搭載される集積回路がさらに提供されてもよい。この集積回路は、ＰＵＣＣＨリソースの割り当てを示すためにＤＣＩフォーマットが使用される場合に、所定のモードに基づいて、ＤＣＩフォーマットにおいて第１の所定のフィールドをセットし、第２の所定のフィールドにおいてＰＵＣＣＨリソース割り当てインデックスをセットするためのロジック素子（設定用ロジック素子）と、ＤＣＩフォーマットをユーザ装置に通知するためのロジック素子（通知用ロジック素子）とを備える。
【０１５２】
本明細書にて開示した本実施形態との関連において記載した上記方法またはアルゴリズムの各ステップは、ハードウェアにおいて、プロセッサによって実行されるソフトウェアモジュールにおいて、これら２つの組み合わせにおいて直接具現化されてもよい。ソフトウェアモジュールは、当該技術分野において既知の任意の形態の記憶媒体中に保存されていてもよい。使用可能な記憶媒体の例としては、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭなどがあげられる。ソフトウェアモジュールは単一の命令または多数の命令を保存していてもよく、複数の異なるコードセグメント、異なるプログラム、および、複数の記憶媒体に分割されてもよい。プロセッサが一例としての記憶媒体から情報を読み取り、該記憶媒体に情報を書き込むことができるように、該記憶媒体が該プロセッサに結合されてもよい。別の構成としては、記憶媒体がプロセッサと一体化されてもよい。
【０１５３】
本明細書にて開示した上記各方法は、該方法を実現するための１つ以上のステップまたはアクションを含む。この方法ステップおよび／またはアクションは、請求項の権利範囲を逸脱しない範囲で、互いに入れ替えられてもよい。換言すれば、記載された本実施形態の相応しい動作を実現するためにステップまたはアクションについて特定の順序が必要とされるのではない限り、特定のステップおよび／またはアクションの順序および／または使用は、請求項の権利範囲を逸脱しない範囲にて変更されてもよい。
【０１５４】
本発明の一実施形態によれば、物理上りリンク制御チャネル（ＰＵＣＣＨ）のリソースの割り当てのための通信方法が提供される。この方法は、下りリンク制御情報（ＤＣＩ）フォーマットを基地局からユーザ装置へ通知し、該ＤＣＩフォーマットを受信した後に、ＤＣＩフォーマットがＰＵＣＣＨリソースの割り当てに使用されているかどうかを、ＤＣＩフォーマットにおける第１の所定のフィールドに基づいてユーザ装置により判定することを含む。さらに、第１の所定のフィールドが所定のモードに基づいてセットされていれば、ユーザ装置は、ＤＣＩフォーマットにおける第２の所定のフィールドに基づいてＰＵＣＣＨリソースを設定する。
【０１５５】
本発明の別の一実施形態によれば、物理上りリンク制御チャネル（ＰＵＣＣＨ）のリソースが割り当てられるユーザ装置が提供される。このユーザ装置は、下りリンク制御情報フォーマットを基地局から受信する受信ユニットと、受信ユニットによって受信されたＤＣＩフォーマットがＰＵＣＣＨリソースの割り当てのために使用されているかどうかを、ＤＣＩフォーマットにおける第１の所定のフィールドに基づいて判定する判定ユニットとを備える。ここで、第１の所定のフィールドが、所定のモードに基づいてセットされていれば、上記判定ユニットは、ＤＣＩフォーマットがＰＵＣＣＨリソースの割り当てのために使用されていると判定し、また、上記判定ユニットがＤＣＩフォーマットはＰＵＣＣＨリソースの割り当てのために使用されていると判定すれば、設定ユニットは、受信ユニットによって受信されたＤＣＩフォーマットにおける第２の所定のフィールドに基づいてＰＵＣＣＨリソースを設定する。
【０１５６】
本発明の別の一実施形態によれば、物理上りリンク制御チャネル（ＰＵＣＣＨ）のリソースをユーザ装置に割り当てるための基地局が提供される。この基地局は、ＤＣＩフォーマットがＰＵＣＣＨリソースの割り当てを示すために使用されている場合に、所定のモードに基づいてＤＣＩフォーマットにおける第１の所定のフィールドをセットし、第２の所定のフィールドにＰＵＣＣＨリソース割り当てインデックスをセットする下りリンク制御情報（ＤＣＩ）再利用ユニットと、ＤＣＩ再利用ユニットによって設定されたＤＣＩフォーマットをユーザ装置へ通知する通知ユニットとを備える。
【０１５７】
本発明の別の一実施形態によれば、物理上りリンク制御チャネル（ＰＵＣＣＨ）のリソースを割り当てるための通信システムが提供される。このシステムは、下りリンク制御情報（ＤＣＩ）フォーマットを通知する基地局と、ＤＣＩフォーマットを受信し、基地局からＤＣＩフォーマットを受信した後に、受信したＤＣＩフォーマットがＰＵＣＣＨリソースの割り当てのために使用されているかどうかを、ＤＣＩフォーマットにおける第１の所定のフィールドに基づいて判定し、第１の所定のフィールドが所定のモードに基づいて設定されていれば、受信したＤＣＩフォーマットにおける第２の所定のフィールドに基づいてＰＵＣＣＨリソースを設定するユーザ装置と、を備える。
【０１５８】
本発明の別の一実施形態によれば、物理上りリンク制御チャネル（ＰＵＣＣＨ）のリソースが割り当てられるユーザ装置に搭載される集積回路が提供される。この集積回路は、下りリンク制御情報フォーマットを基地局から受信するための受信用ロジック素子と、受信用ロジック素子によって受信されたＤＣＩフォーマットがＰＵＣＣＨリソースの割り当てのために使用されているかどうかをＤＣＩフォーマットにおける第１の所定のフィールドに基づいて判定するための判定用ロジック素子とを備える。ここで、第１の所定のフィールドが所定のモードに基づいて設定されていれば、上記判定ユニットは、ＤＣＩフォーマットがＰＵＣＣＨリソースの割り当てのために使用されていると判定する。上記集積回路は、上記判定ユニットが、ＤＣＩフォーマットがＰＵＣＣＨリソースの割り当てのために使用されていると判定すれば、受信用ロジック素子によって受信されたＤＣＩフォーマットにおける第２の所定のフィールドに基づいてＰＵＣＣＨリソースを設定するためのロジック素子をさらに備える。
【０１５９】
本発明の別の一実施形態によれば、物理上りリンク制御チャネル（ＰＵＣＣＨ）のリソースをユーザ装置に割り当てるための基地局に搭載される集積回路が提供される。この集積回路は、ＰＵＣＣＨリソースの割り当てを示すためにＤＣＩフォーマットが使用される場合に、所定のモードに基づいてＤＣＩフォーマットにおける第１の所定のフィールドを設定し、第２の所定のフィールドにおいてＰＵＣＣＨリソース割り当てインデックスを設定するための設定用ロジック素子と、設定用ロジック素子によって設定されたＤＣＩフォーマットをユーザ装置へ通知するための通知用ロジック素子とを備える。
【０１６０】
本発明の別の一実施形態によれば、上記基地局は、キャリアアグリゲーションの場合に、ＰＵＣＣＨの送信のために柔軟なリソースの割り当てを実施することができ、こうすることによって、上記基地局とユーザ装置との間でさらに効率的な送信制御（スケジューリング）が実現できる。
【０１６１】
本発明の具体的な実施形態および適用例について図示および説明したが、本発明は、ここで開示した構成および部材に厳密に限定されるものではないことは理解されるべきである。ここで開示した本発明の構成、動作、ならびに、方法およびシステムの詳細において、当業者にとって明らかな各種の修正、変更、および、変形が加えられてもよく、これは本発明の精神および範囲から逸脱するものではない。
【産業上の利用可能性】
【０１６２】
本発明は、例えば、第３世代（３Ｇ）、スーパー第３世代（Ｓ３Ｇ）、第４世代（４Ｇ）セルラー移動通信、および、デジタルテレビ、無線ＬＡＮ（ＷＬＡＮ）、自己組織化ネットワーク（メッシュ、Ａｄ  Ｈｏｃ、Ｃｅｎｓｏｒネットワーク）、エレクトロニックホーム（ｅｌｅｃｔｒｏｎｉｃ  ｈｏｍｅ、ｅ−Ｈｏｍｅ）ネットワーク、無線広域ネットワーク（ＷＷＡＮ）などの任意のシステムに適用可能である。
【図１】
0005635623.tif 000006
【図２】
0005635623.tif 000007
【図３】
0005635623.tif 000008
【図４】
0005635623.tif 000009
【図５】
0005635623.tif 000010
【図６】
0005635623.tif 000011
【図７】
0005635623.tif 000012
【図８】
0005635623.tif 000013
【図９】
0005635623.tif 000014
【図１０】
0005635623.tif 000015